(57)【特許請求の範囲】
【請求項１】
布地ケア組成物であって、
ａ）前記布地ケア組成物の総重量に基づいて、０．０１％〜３０％の、下記の式Ｉ、式ＩＩ、又は式ＩＩＩを有することを含む、オルガノシロキサンポリマーであって、
【化１】
0006453361.tif 000034
前記式Ｉは合計１〜２００のＱを含んでおり、前記式ＩＩは２〜２００のＱを含んでおり、前記式Ｉ及び前記式ＩＩの各Ｑは、下記の式ＩＶ、式Ｖ及び式ＶＩからそれぞれ独立して選択されており、
【化２】
0006453361.tif 000035
式Ｉから式ＶＩのそれぞれにおいて、
（ｉ）各Ｘは、
【化３】
0006453361.tif 000036
及びこれらの組み合わせからなる群からそれぞれ独立して選択され；
（ｉｉ）各Ｌは連結する二価のアルキレン基であり；
（ｉｉｉ）少なくとも１個のＲ部分は−ＯＲ２であって、すべての他のＲ部分が、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及びこれらの組み合わせからなる群からそれぞれ独立して選択されており、１〜６のＲ部分は−ＯＲ２であって、前記Ｒ部分は末端Ｓｉに共有結合されており；
（ｉｖ）各Ｒ１は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され；
（ｖ）各Ｒ２は、Ｈ、Ｃ１〜Ｃ４アルキル基、−Ｃ（Ｏ）Ｒ６からなる群からそれぞれ独立して選択され、式中、各Ｒ６は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択されており；
（ｖｉ）各Ｒ３は、６〜３０の炭素原子を含む芳香族基、２〜３０の炭素原子を含む脂肪族基、６〜３０の炭素原子を含む脂環式基、および
0006453361.tif 000037
からなる群から選択された基であり；
（ｖｉｉ）各Ｒ４は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され；
（ｖｉｉｉ）各Ｗは、置換もしくは非置換のＣ１〜Ｃ２００アルキレン基、およびＣ１〜Ｃ２００鎖に割込む少なくとも１つのヘテロ原子を含む置換もしくは非置換のＣ１〜Ｃ２００アルキレン基からなる群から選択された基であり；
（ｉｘ）ｐは２〜２０００の整数であり；
（ｘ）ｎは０〜５０の整数であり； 
（ｘｉ）ｋは１〜１００から選択される整数である、
オルガノシロキサンポリマーと；
ｂ）式Ｓｉ（Ｒ７）ｍ（ＯＲ８）ｊを有する材料であって、指数ｊは１〜４であり、指数ｍ＝４−ｊであり、各Ｒ７は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択され、各Ｒ８は、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及び−Ｃ（Ｏ）Ｒ９からなる群からそれぞれ独立して選択され、各Ｒ９は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択される、材料と；
を含むことを特徴とする、布地ケア組成物。
【請求項２】
前記オルガノシロキサンポリマーが、オルガノシロキサンポリマーの総重量に基づいて、５％〜１００％の前記式（Ｉ）を有する化合物を含む、請求項１に記載の布地ケア組成物。
【請求項３】
１〜２０個の式ＩのＲ部分が−ＯＲ２である、請求項１又は２に記載の布地ケア組成物。
【請求項４】
前記溶媒系が、−０．１８０〜３．７６４のＣｌｏｇＰを有する溶媒からなる群から選択される、請求項１〜３のいずれか一項に記載の布地ケア組成物。
【請求項５】
前記溶媒が、エタノール、酢酸、１−プロパノール、１−ブタノール、２−プロパノール、アセトニトリル、ｔ−ブチルアルコール、ジメチルホルムアミド、アセトン、１，２−ジクロロエタン、塩化メチレン、クロロホルム、酢酸エチル、テトラヒドロフラン、ジオキサン、メチルｔ−ブチルエーテル、ジエチルエーテル、ベンゼン、トルエン、ブチルセロソルブ、ブチルカルビトール、ヘキシレングリコール、水、グリセリン、ポリグリセリン、エチレングリコール、ジエチレングリコール、ポリエチレングリコール、プロピレングリコール、ジプロピレングリコール、ポリプロピレングリコール、ブチレングリコール、モノ、ジ及びトリエタノールアミン、メチルジエタノールアミン、ジエチレングリコールモノメチルエーテル、モノ及びジアセチン、メタノール、並びにこれらの混合物からなる群から選択される、請求項３に記載の布地ケア組成物。
【請求項６】
前記式Ｓｉ（Ｒ７）ｍＯ（Ｒ８）ｊを有する前記材料が、モノアルコキシシラン、モノアセトキシシラン、ジアルコキシシラン、ジアセトキシシラン、トリアルコキシシラン、トリアセトキシシラン、テトラアルコキシシラン、テトラアセトキシシラン及びこれらの混合物から選択される、請求項１〜５のいずれか一項に記載の布地ケア組成物。
【請求項７】
前記組成物が送達増強剤を含む、請求項１〜６のいずれか一項に記載の布地ケア組成物。
【請求項８】
前記組成物が０．０１重量％〜０．３重量％の安定剤を含む、請求項１〜７のいずれか一項に記載の布地ケア組成物。
【請求項９】
前記組成物がすすぎ時添加型組成物又は洗濯洗剤の形態である、請求項１〜８のいずれか一項に記載の布地ケア組成物。
【請求項１０】
少なくとも１．１の回復指数（ＩＲ）を有する、請求項１〜９のいずれか一項に記載の布地ケア組成物。
【請求項１１】
前記組成物の重量の１％〜４９％の、布地を柔軟化するのに好適な四級アンモニウム化合物と、０．１％〜３％の香料と、を含む、請求項１〜１０のいずれか一項に記載の布地ケア組成物。
【請求項１２】
前記布地ケア組成物が、布地ケア組成物の総重量に基づいて２％未満の、アルデヒド及び／又はケトン基を含む材料を含む、請求項１〜１１のいずれか一項に記載の布地ケア組成物。
【請求項１３】
前記組成物が、送達増強剤、蛍光増白剤、酵素、レオロジー変性剤、ビルダー、及びこれらの混合物からなる群から選択される補助剤を含む、請求項１〜１２のいずれか一項に記載の布地ケア組成物。
【請求項１４】
請求項１〜１３のいずれか一項に記載の布地ケア組成物及びこれらの混合物からなる群から選択される布地ケア組成物を布地に接触させることを含む布地への利点を提供する方法であって、前記衣類は、前記衣類が消費者に譲渡又は売却された後、前記布地ケア組成物と接触する、方法。
【請求項１５】
請求項１の式（Ｉ）を有する少なくとも１つの化合物を含む、オルガノシロキサンポリマーの縮合生成物を含む部位である、部位。
【発明の詳細な説明】
【技術分野】
【０００１】
本開示は、フィット感保持ポリマーを含む組成物及びシステム、並びにこれらの作製及び使用方法に関する。
【背景技術】
【０００２】
衣類などの布地が着用されるとき、例えば着用者による日常的な動きにより生じる衣類繊維への応力及び負荷が故に、該布地はその形状を維持できない可能性がある。その結果、衣類の「フィット感」が損なわれて、衣類の外観及び快適さも失われる。この問題を解決するために、スパンデックス（エラステイン）などの繊維が特定の衣類内に組み込まれる、及び／又は衣類の織り方が変わる可能性がある。残念ながら、そのような解決策は、通常衣類のコストを上昇させ、かつ、かかる衣類に使用される布地を製造するときに繊維工場でなされなければならない。このような解決策が最初から実施されない場合、かかる「フィット感」問題はその後対処されることができない。
【発明の概要】
【発明が解決しようとする課題】
【０００３】
そのため求められているのは、布地の耐用期間中、任意の時点で実施され得る「フィット感」問題の解決策である。出願人は、そのような解決策を本明細書に提供する。
【課題を解決するための手段】
【０００４】
本開示は、フィット感保持ポリマーを含む組成物及びシステム、並びにこれらの作製及び使用方法に関する。布地を布地ケア組成物と接触させることを含む、このような組成物の使用方法もまた開示される。
【発明を実施するための形態】
【０００５】
本明細書で使用する場合、請求項で使用される場合の冠詞「ａ」及び「ａｎ」は、特許請求又は記載されているもののうちの１つ以上を意味すると理解される。
【０００６】
本明細書で使用する場合、「含む」という用語は、本開示の組成物の調製において共に使用される種々の構成成分を意味する。それゆえに、「から本質的になる」及び「からなる」という用語は、「含む」という用語に包含される。
【０００７】
本明細書で使用する場合、「布地ケア組成物」は、手洗い又は機械洗浄のための組成物、添加剤組成物、染みの付いた布地の浸漬及び／又は前処理に使用するのに好適な組成物、すすぎ時添加型組成物、スプレー及びアイロン助剤を包含する。布地ケア組成物は、例えば液体及び顆粒状洗濯洗剤、布地コンディショナ、シートなどのその他の洗浄時、すすぎ時、乾燥時添加型製品、並びにスプレー型、カプセル型及び／若しくは１回用量の組成物、アイロン助剤、乾燥した布地に使用するための布地スプレー、又は組み合わせて分配する２つ以上の別個の相を含む組成物などの形態をとり得る。液体形態の布地ケア組成物は一般的に水性担体中に存在し、かつ一般的には約１〜約２０００センチポアズ（１〜２０００ｍＰａ．ｓ）、又は約２００〜約８００センチポアズ（２００〜８００ｍＰａ．ｓ）の粘度を有する。粘度は、当該技術分野において既知の従来の方法により測定することができる。この用語はまた、約５０％未満又は約３０％未満又は約２０％未満で水又はその他の担体を含有するような、低含水量の配合又は濃縮配合も包含する。
【０００８】
本明細書で使用する場合、「置換された」という用語は、化学的に受容可能な部分、例えばヒドロキシル、アミン、芳香族、アルコキシ、カルボン酸塩、リン酸塩又は硫酸塩による、−Ｈの置換を意味する。
【０００９】
本明細書で使用する場合、用語「含む（include）」、「含む（includes）」、及び「含んでいる（including）」は、限定することを意図しない。
【００１０】
別途記載のない限り、成分又は組成物の濃度はすべて、その成分又は組成物の活性部分に関するものであり、このような成分又は組成物の市販の供給源に存在し得る不純物、例えば、残留溶媒又は副生成物は除外される。
【００１１】
本明細書の全体を通して与えられるすべての最大の数値限定は、すべてのより小さい数値限定を、そのようなより小さい数値限定があたかも本明細書に明示的に記載されているかのように包含することを、理解すべきである。本明細書の全体を通して与えられるすべての最小の数値限定は、より大きい数値限定を、そのようなより大きい数値限定があたかも本明細書に明示的に記載されているかのように包含する。本明細書の全体を通して与えられるすべての数値範囲は、そのようなより広い数値範囲内に入るより狭いすべての数値範囲を、そのような狭い数値範囲があたかもすべて本明細書に明示的に記載されているかのように包含する。
【００１２】
組成剤の形態。本組成物は、例えば、液体若しくはゲル形態、又はこれらの任意の組み合わせなど、任意の液体形態であり得る。本組成物は、任意の単位用量の形態、例えば、小袋の形態にすることができる。しかし、組成物の非常に極めて好ましい形態は、ゲル形態である。
【００１３】
組成物は、完全に完成した洗濯洗剤組成物、布地処理組成物及び／又は布地増強剤であり得る。一態様では、本組成物は、洗濯洗剤組成物中に組み込むことができる、洗濯洗剤組成物の単なる一成分ではなく、完全に完成した洗濯洗剤組成物である。一態様では、追加のすすぎ時添加型洗剤組成物（例えば、布地コンディショナ若しくは布地増強剤）又は主洗浄添加剤組成物（例えば、漂白添加剤）も本発明の方法中に洗濯洗剤組成物と組み合わせて使用することは、本発明の範囲内である。一態様では、本発明の方法中に、漂白添加剤組成物は洗濯洗剤組成物と組み合わせて使用されない。
【００１４】
一態様では、布地ケア組成物であって、
ａ）布地ケア組成物の総重量に基づいて、約０．０１％〜約３０％、好ましくは約０．０１％〜約２０％、より好ましくは約０．１％〜約１０％、最も好ましくは約０．５％〜約５％の、下記の式Ｉ、式ＩＩ、又は式ＩＩＩを有することを含む、オルガノシロキサンポリマーであって、
【００１５】
【化１】
0006453361.tif 000002
式Ｉは合計１〜約２００のＱを含んでおり、式ＩＩは２〜約２００のＱを含んでおり、式Ｉ及び式ＩＩの各Ｑは、下記の式ＩＶ、式Ｖ及び式ＶＩからそれぞれ独立して選択されており、
【００１６】
【化２】
0006453361.tif 000003
式Ｉから式ＶＩのそれぞれにおいて、
（ｉ）各Ｘは、
【００１７】
【化３】
0006453361.tif 000004
及びこれらの組み合わせからなる群から独立して選択され；
（ｉｉ）各Ｌは連結する二価のアルキレン基であり、好ましくは各Ｌは、
【００１８】
【化４】
0006453361.tif 000005
−（ＣＨ２）ｓ−からなる群からそれぞれ独立して選択され、最も好ましくはＬは−（ＣＨ２）ｓ−であり；
（ｉｉｉ）少なくとも１個、好ましくは少なくとも２個、より好ましくは少なくとも３個のＲ部分は−ＯＲ２であって、すべての他のＲ部分が、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及びこれらの組み合わせからなる群からそれぞれ独立して選択されており、一態様において、１〜６個、好ましくは２〜６個、より好ましくは２〜４個のＲ部分は−ＯＲ２であって、Ｒ部分は末端Ｓｉに共有結合されており；
（ｉｖ）各Ｒ１は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され；好ましくは各Ｒ１は、Ｈ及びＣ１〜Ｃ４アルキル基からなる群からそれぞれ独立して選択され、より好ましくは、各Ｒ１はＨであり；
（ｖ）各Ｒ２は、Ｈ、Ｃ１〜Ｃ４アルキル基、−Ｃ（Ｏ）Ｒ６からなる群からそれぞれ独立して選択され、式中、各Ｒ６は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択されており；
（ｖｉ）各Ｒ３は、６〜３０の炭素原子、好ましくは６〜２０の炭素原子、より好ましくは６〜１４の炭素原子を含む芳香族基、２〜３０の炭素原子、好ましくは２〜２０の炭素原子、より好ましくは２〜１４の炭素原子を含む脂肪族基、及び、６〜３０の炭素原子、好ましくは６〜２０の炭素原子、より好ましくは６〜１４の炭素原子を含む脂環式基からなる群からそれぞれ独立して選択されており；
（ｖｉｉ）各Ｒ４は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され、好ましくは各Ｒ４は、Ｈ及びＣ１〜Ｃ４アルキル基からなる群からそれぞれ独立して選択され、より好ましくは、各Ｒ４はＨであり；
（ｖｉｉｉ）各Ｒ５は、Ｈ、Ｃ１〜Ｃ４アルキル基、Ｃ１〜Ｃ４置換アルキル基、Ｃ６〜Ｃ１０アリール基、及びＣ６〜Ｃ１０置換アリール基からなる群からそれぞれ独立して選択され、好ましくは各Ｒ５は、Ｈ及びＣ１〜Ｃ２アルキル基からなる群からそれぞれ独立して選択されており；
（ｉｘ）各Ｗは、Ｃ１〜Ｃ２００鎖に割込む少なくとも１つのヘテロ原子を所望により含むＣ１〜Ｃ２００アルキレン基、若しくはＣ１〜Ｃ２００鎖に割込む少なくとも１つのヘテロ原子を所望により含む置換Ｃ１〜Ｃ２００アルキレン基、及び／又は所望により置換基に割込む少なくとも１つのヘテロ原子からなる群からそれぞれ独立して選択され、好ましくは、各Ｗは、Ｃ１〜Ｃ１００鎖に割込む少なくとも１つのヘテロ原子を所望により含むＣ１〜Ｃ１００アルキレン基、若しくはＣ１〜Ｃ１００鎖に割込む少なくとも１つのヘテロ原子を所望により含む置換Ｃ１〜Ｃ１００アルキレン基、及び／又は所望により置換基に割込む少なくとも１つのヘテロ原子からなる群からそれぞれ独立して選択されており、好ましくはＣ１〜Ｃ１００鎖は少なくとも１つのヘテロ原子により割込まれ、より好ましくは各Ｗは、Ｃ１〜Ｃ１０鎖に割込む少なくとも１つのヘテロ原子を所望により含む置換Ｃ１〜Ｃ１０アルキレン基、及び／又は所望により置換基に割込む少なくとも１つのヘテロ原子からなる群からそれぞれ独立して選択され、好ましくは各Ｗは、
【００１９】
【化５】
0006453361.tif 000006
からなる群からそれぞれ独立して選択され、
【００２０】
【化６】
0006453361.tif 000007
について、Ｒ５及びｙは上述したとおりであり；
（ｘ）ｐは約２〜約２０００、好ましくは約２〜約１０００、より好ましくは約１０〜約４００、最も好ましくは約２０〜約２００の整数であり；
（ｘｉ）ｓは約２〜約８３、好ましくは約２〜約１０、より好ましくは約２〜約４の整数であり；
（ｘｉｉ）ｙは約１〜約５０、好ましくは約１〜約２０、より好ましくは約１〜約１０の整数であり；
（ｘｉｉｉ）ｎは約０〜約５０、好ましくは約１〜約５０、より好ましくは約１〜約２０、最も好ましくは約１〜約１０の整数であり；
（ｘｉｖ）ｋは０〜約１００、好ましくは約１〜約５０、より好ましくは約５〜２０の整数である、オルガノシロキサンポリマーと；
ｂ）所望により、式Ｓｉ（Ｒ７）ｍ（ＯＲ８）ｊを有する材料であって、指数ｊは１〜４であり、指数ｍ＝４−ｊであり、各Ｒ７は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択され、好ましくはＲ７は二重結合を含み、各Ｒ８は、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及び−Ｃ（Ｏ）Ｒ９からなる群からそれぞれ独立して選択され、各Ｒ９は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択される、材料と；
ｃ）所望により溶媒系と；
ｄ）所望により担体と；
ｅ）所望により、布地ケア組成物の総重量に基づいて、約０．１％〜約９５％の界面活性剤と；
を含む、布地ケア組成物が開示される。
【００２１】
一態様では、布地ケア組成物であって、
ａ．布地ケア組成物の総重量に基づいて、約０．０１％〜約３０％、好ましくは約０．０１％〜約２０％、より好ましくは約０．１％〜約１０％、最も好ましくは約０．５％〜約５％の、式（Ｉ）を有する少なくとも１つの繰り返し単位を含む、オルガノシロキサンポリマーと；
【００２２】
【化７】
0006453361.tif 000008
式中、
（ｉ）各Ｘは、
【００２３】
【化８】
0006453361.tif 000009
及びこれらの組み合わせからなる群からそれぞれ独立して選択され；
（ｉｉ）各Ｌは、連結する二価のアルキレン基であり、又は、
【００２４】
【化９】
0006453361.tif 000010
−（ＣＨ２）ｓ−、及びこれらの組み合わせからなる群からそれぞれ独立して選択され；
（ｉｉｉ）式Ｉの、少なくとも１個、好ましくは少なくとも２個、より好ましくは少なくとも３個のＲ部分が−ＯＲ２であって、すべての他のＲ部分が、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及びこれらの組み合わせからなる群からそれぞれ独立して選択されており、一態様において、１〜６個、好ましくは２〜６個、より好ましくは２〜４個のＲ部分は−ＯＲ２であって、Ｒ部分は末端Ｓｉに共有結合されており；
（ｉｖ）各Ｒ１は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され、好ましくは各Ｒ１は、Ｈ及びＣ１〜Ｃ４アルキル基からなる群からそれぞれ独立して選択され、より好ましくは、各Ｒ１はＨであり；
（ｖ）各Ｒ２は、Ｈ、Ｃ１〜Ｃ４アルキル基、−Ｃ（Ｏ）Ｒ６からなる群からそれぞれ独立して選択され、式中、各Ｒ６は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択されており；
（ｖｉ）各Ｒ３は、６〜３０の炭素原子、好ましくは６〜２０の炭素原子、より好ましくは６〜１４の炭素原子を含む芳香族基、２〜３０の炭素原子、好ましくは２〜２０の炭素原子、より好ましくは２〜１４の炭素原子を含む脂肪族基、及び、６〜３０の炭素原子、好ましくは６〜２０の炭素原子、より好ましくは６〜１４の炭素原子を含む脂環式基からなる群からそれぞれ独立して選択されており；
（ｖｉｉ）各Ｒ４は、Ｈ、Ｃ１〜Ｃ２０アルキル基、Ｃ６〜Ｃ１０アリール基、Ｃ１〜Ｃ４置換アルキル基、及びＣ６〜Ｃ１０シクロアルキル基からなる群からそれぞれ独立して選択され、好ましくは各Ｒ４は、Ｈ及びＣ１〜Ｃ４アルキル基からなる群からそれぞれ独立して選択され、より好ましくは、各Ｒ４はＨであり；
（ｖｉｉｉ）各Ｒ５は、Ｈ、Ｃ１〜Ｃ４アルキル基、Ｃ１〜Ｃ４置換アルキル基、Ｃ６〜Ｃ１０アリール基、及びＣ６〜Ｃ１０置換アリール基からなる群からそれぞれ独立して選択され、好ましくは各Ｒ５は、Ｈ及びＣ１〜Ｃ２アルキル基からなる群からそれぞれ独立して選択されており；
（ｉｘ）各Ｗは、Ｃ１〜Ｃ２００鎖に割込む少なくとも１つのヘテロ原子を所望により含むＣ１〜Ｃ２００アルキレン基からなる群からそれぞれ独立して選択され、好ましくは各Ｗは、Ｃ１〜Ｃ１００鎖に割込む少なくとも１つのヘテロ原子を所望により含むＣ１〜Ｃ１００アルキレン基からなる群からそれぞれ独立して選択されており；好ましくはＣ１〜Ｃ１００鎖は少なくとも１つのヘテロ原子により割込まれ、より好ましくは各Ｗは、Ｃ１〜Ｃ１０鎖に割込む少なくとも１つのヘテロ原子を所望により含む置換Ｃ１〜Ｃ１０アルキレン基からそれぞれ独立して選択されており；
（ｘ）ｐは約２〜約２０００、好ましくは約２〜約１０００、より好ましくは約１０〜約４００、最も好ましくは約２０〜約２００の整数であり；
（ｘｉ）ｓは約２〜約８３、好ましくは約２〜約１０、より好ましくは約２〜約４の整数であり；
（ｘｉｉ）ｙは約１〜約５０、好ましくは約１〜約２０、より好ましくは約１〜約１０の整数であり；
（ｘｉｉｉ）ｎは約０〜約５０、好ましくは約１〜約５０、より好ましくは約１〜約２０、最も好ましくは約１〜約１０の整数であり；
（ｘｉｖ）ｋは０〜約１００、好ましくは約１〜約５０、より好ましくは約５〜２０の整数であり；
ｂ．所望により、式Ｓｉ（Ｒ７）ｍ（ＯＲ８）ｊを有する材料であって、指数ｊは１〜４であり、指数ｍ＝４−ｊであり、各Ｒ７は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択され、好ましくはＲ７は二重結合を含み、各Ｒ８は、Ｈ、Ｃ１〜Ｃ２０アルキル基、Ｃ１〜Ｃ２０置換アルキル基、Ｃ６〜Ｃ２０アリール基、Ｃ６〜Ｃ２０置換アリール基、Ｃ７〜Ｃ２０アルキルアリール基、及び−Ｃ（Ｏ）Ｒ９からなる群からそれぞれ独立して選択され、各Ｒ９は、Ｃ１〜Ｃ２０アルキル基、Ｃ１〜Ｃ２０置換アルキル基、Ｃ６〜Ｃ２０アリール基、Ｃ６〜Ｃ２０置換アリール基、及びＣ７〜Ｃ２０アルキルアリール基からなる群からそれぞれ独立して選択される、材料と；
ｃ．所望により溶媒系と；
ｄ．所望により担体と；
ｅ．所望により、布地ケア組成物の総重量に基づいて、約０．１％〜約９５％の界面活性剤と；
を含む、布地ケア組成物が開示される。
【００２５】
布地ケア組成物の一態様において、オルガノシロキサンポリマーは、オルガノシロキサンポリマーの総重量に基づいて、約５％〜約１００％、好ましくは約２０％〜約１００％、又はより好ましくは約５０％〜約１００％の式（Ｉ）を有する繰り返し単位を含む。
【００２６】
布地ケア組成物の一態様において、１〜２０個、好ましくは１〜１０個、より好ましくは２〜６個の式ＩのＲ部分は、−ＯＲ２である。
【００２７】
布地ケア組成物の一態様では、溶媒系は、約−０．１８０〜約３．７６４のＣｌｏｇＰを有する溶媒からなる群から選択され、好ましくは溶媒は、水、グリセリン、ポリグリセリン、エチレングリコール、ジエチレングリコール、ポリエチレングリコール、プロピレングリコール、ジプロピレングリコール、ポリプロピレングリコール、ブチレングリコール、モノ、ジ及びトリエタノールアミン、メチルジエタノールアミン、ジエチレングリコールモノメチルエーテル、モノ及びジアセチン、メタノール、並びにこれらの混合物からなる群から選択される。
【００２８】
布地ケア組成物の一態様では、溶媒は、エタノール、酢酸、１−プロパノール、１−ブタノール、２−プロパノール、アセトニトリル、ｔ−ブチルアルコール、ジメチルホルムアミド、アセトン、１，２−ジクロロエタン、塩化メチレン、クロロホルム、酢酸エチル、テトラヒドロフラン、ジオキサン、メチルｔ−ブチルエーテル、ジエチルエーテル、ベンゼン、トルエン、ブチルセロソルブ、ブチルカルビトール、ヘキシレングリコール、水、グリセリン、ポリグリセリン、エチレングリコール、ジエチレングリコール、ポリエチレングリコール、プロピレングリコール、ジプロピレングリコール、ポリプロピレングリコール、ブチレングリコール、モノ、ジ及びトリエタノールアミン、メチルジエタノールアミン、ジエチレングリコールモノメチルエーテル、モノ及びジアセチン、メタノール、並びにこれらの混合物からなる群から選択される。
【００２９】
布地ケア組成物の一態様では、布地ケア組成物は、組成物の重量の１％〜４９％の、布地を柔軟化するのに好適な四級アンモニウム化合物と、０．１％〜３％の香料と、を含む。
【００３０】
布地ケア組成物の一態様では、担体は、ポリマー、ワックス、塩及びこれらの混合物からなる群から選択され、好ましくはポリマーは多糖、ポリエチレングリコール及びこれらの混合物から選択され、並びに、塩は洗剤ビルダーから選択される。
【００３１】
布地ケア組成物の一態様では、界面活性剤は、
ａ．アニオン性界面活性剤であって、好ましくはアニオン性界面活性剤は、アルキルベンゼンスルホネート、アルキルサルフェート及びアルキルアリールサルフェート、アルキルカルボキシレート及びアルキルアリールカルボキシレート、アルキルエトキシサルフェート、アルキルグリセリルスルホネート、アンモニウムラウリルサルフェート、ナトリウムラウリルサルフェート、ナトリウムラウレスサルフェート、直鎖アルキルベンゼンスルホネート及びこれらの混合物からなる群から選択される、アニオン性界面活性剤と；
ｂ．カチオン性界面活性剤であって、好ましくはカチオン性界面活性剤は、アルキルトリメチルアンモニウム塩、臭化セチルトリメチルアンモニウム、塩化セチルトリメチルアンモニウム、塩化セチルピリジウム、四級アンモニウム界面活性剤、エステル四級アンモニウム化合物及びこれらの混合物からなる群から選択される、カチオン性界面活性剤と；
ｃ．両性界面活性剤であって、好ましくは両性界面活性剤は、ココアミドプロピルベタイン、ラウリンアミドプロピルベタイン、オレアミドプロピルベタイン、リシノール酸アミドプロピルベタイン、セチルベタイン及び二量体ジリシノール酸アミドプロピルベタイン、スルホベタイン、ヒドロキシスルホベタイン及びヒドロキシスルタイン、アミンオキシド及びこれらの混合物からなる群から選択される、両性界面活性剤と；
ｄ．非イオン性界面活性剤であって、好ましくは非イオン性界面活性剤は、ポリオキシアルキレングリコールアルキルエーテル、アルキルエトキシレート、グルコシドアルキルエーテル、ポリオキシアルキレングリコールオクチルフェノールエーテル、ポリオキシアルキレングリコールアルキルフェノールエーテル及びこれらの混合物からなる群から選択される、非イオン性界面活性剤と；
ｅ．これらの混合物と、から選択される。
【００３２】
布地ケア組成物の一態様では、式Ｓｉ（Ｒ７）ｍＯ（Ｒ８）ｊを有する材料は、モノアルコキシシラン、モノアセトキシシラン、ジアルコキシシラン、ジアセトキシシラン、トリアルコキシシラン、トリアセトキシシラン、テトラアルコキシシラン、テトラアセトキシシラン及びこれらの混合物から選択される。
【００３３】
布地ケア組成物の一態様では、
ａ．モノアルコキシシランは、メトキシトリメチルシラン、エトキシトリメチルシラン、（３−アミノプロピル）エトキシジメチルシラン、（３−アミノプロピル）メトキシジメチルシラン、２−（トリメチルシロキシ）−１−アミノエタン、及びこれらの混合物からなる群から選択され；
ｂ．モノアセトキシシランは、アセトキシトリメチルシランであり；
ｃ．ジアルコキシシランは、ジメトキシジメチルシラン、２−アミノエチル−３−アミノプロピルメチルジメトキシシラン、ジメチルジエトキシシラン、（３−アミノプロピル）メチルジエトキシシラン、３−アミノプロピルメチルジメトキシシラン、及びこれらの混合物からなる群から選択され；
ｄ．ジアセトキシシランは、ジアセトキシジメチルシランであり；
ｅ．トリアルコキシシランは、（３−アミノプロピル）トリエトキシシラン、（３−アミノプロピル）トリメトキシシラン、３−（Ｎ−アミノエチル）アミノプロピルトリメトキシシラン、メチルトリメトキシシラン、メチルトリエトキシシラン、（アミノメチル）トリメトキシシラン及び（ジエチルアミノ）メチルトリエトキシシラン、並びにこれらの混合物からなる群から選択され；
ｆ．トリアセトキシシランは、トリアセトキシメチルシラン、トリアセトキシエチルシラン、及びこれらの混合物からなる群から選択され；
ｇ．テトラアルコキシシランは、テトラメトキシシラン、テトラエトキシシラン、及びこれらの混合物からなる群から選択される。
【００３４】
布地ケア組成物の一態様では、布地ケア組成物は、布地ケア組成物の総重量に基づいて２％未満の、アルデヒド及び／又はケトン基を含む材料を含む。
【００３５】
布地ケア組成物の一態様では、界面活性剤は、直鎖又は分枝鎖アルキルベンゼンスルホネート、アルキルサルフェート、アルキルエトキシサルフェート、アルキルエトキシレート、アルキルグリセリルスルホネート、四級アンモニウム界面活性剤、エステル四級アンモニウム化合物及びこれらの混合物から選択される。
【００３６】
布地ケア組成物の一態様では、布地ケア組成物は、送達増強剤、蛍光増白剤、酵素、レオロジー変性剤、ビルダー、及びこれらの混合物からなる群から選択される補助剤を含む。
【００３７】
布地ケア組成物の一態様では、布地ケア組成物は送達増強剤を含む。
【００３８】
布地ケア組成物の一態様では、送達増強剤は、約０．０５ｍｅｑ／ｇ〜約２３ｍｅｑ／ｇの正味のカチオン電荷密度を有するカチオン性ポリマーを含む。
【００３９】
布地ケア組成物の一態様では、送達増進剤は、約０．０５ｍｅｑ／ｇ〜約２３ｍｅｑ／ｇの正味のカチオン電荷密度を有するカチオン性ポリマーである。
【００４０】
布地ケア組成物の一態様では、布地ケア組成物は、０．０１重量％〜０．３重量％の安定剤を含む。
【００４１】
布地ケア組成物の一態様では、安定剤は、結晶性ヒドロキシル含有安定剤を含む。
【００４２】
布地ケア組成物の一態様では、安定剤は、結晶性ヒドロキシル含有安定剤である。
【００４３】
布地ケア組成物の一態様では、布地ケア組成物は、すすぎ時添加型組成物の形態である。
【００４４】
布地ケア組成物の一態様では、布地ケア組成物は、洗濯洗剤である。
【００４５】
布地ケア組成物の一態様では、布地ケア組成物は、少なくとも１．１、好ましくは約１．１〜約２．２、好ましくは約１．２〜約１．８の回復指数（ＩＲ）を有する。
【００４６】
方法及び処理済み部位
一態様では、本明細書にて開示した布地ケア組成物及びこれらの混合物からなる群から選択される布地ケア組成物を布地に接触させることを含む、布地への利点を提供する方法が開示される。
【００４７】
方法の一態様では、布地は完成した衣類の形態であり、衣類は、衣類が消費者に譲渡又は売却された後、布地ケア組成物により接触される。
【００４８】
一態様では、上述の式（Ｉ）を有する少なくとも１つの繰り返し単位を含む、オルガノシロキサンポリマーの縮合生成物を含む部位が、開示される。好ましくは部位は、部位１グラム当たり約２０マイクログラムのポリマー〜部位１グラム当たり約０．１グラムのポリマーを含み、より好ましくは部位は部位１グラム当たり約１００マイクログラムのポリマー〜部位１グラム当たり約３，０００マイクログラムのポリマーを含み、好ましくは部位は布地及び／又は衣類である。
【００４９】
補助成分
洗浄性界面活性剤。洗浄性界面活性剤は通常、アニオン性洗浄性界面活性剤及び非イオン性界面活性剤を含み、好ましくはアニオン性洗浄性界面活性剤の非イオン性洗浄性界面活性剤に対する重量比は、１：１超、好ましくは１．５：１超、又は更には２：１超、又は更には２．５：１超、又は３：１超である。
【００５０】
本組成物は好ましくは洗浄性界面活性剤を含み、好ましくは１０重量％〜４０重量％、好ましくは１２重量％〜、又は１５重量％〜、又は更には１８重量％〜の洗浄性界面活性剤を含む。好ましくは界面活性剤は、アルキルベンゼンスルホネート及び１つ以上の洗浄性補助界面活性剤を含む。界面活性剤は好ましくは、Ｃ１０〜Ｃ１３アルキルベンゼンスルホネート及び１つ以上の補助界面活性剤を含む。補助界面活性剤は好ましくは、好ましくは１〜７の平均エトキシル化度を有する、Ｃ１２〜Ｃ１８アルキルエトキシル化アルコール；好ましくは１〜５の平均エトキシル化度を有する、Ｃ１２〜Ｃ１８アルキルエトキシル化サルフェート；及びこれらの混合物からなる群から選択される。しかし、他の界面活性剤系を、本発明での使用に関して好適とすることができる。
【００５１】
好適な洗浄性界面活性剤としては、アニオン性洗浄性界面活性剤、非イオン性洗浄性界面活性剤、カチオン性洗浄性界面活性剤、双極性イオンの洗浄性界面活性剤、両性洗浄性界面活性剤、及びこれらの混合物が挙げられる。
【００５２】
好適なアニオン性洗浄性界面活性剤としては、アルキルサルフェート；アルキルスルホネート；アルキルホスフェート；アルキルホスホネート；アルキルカルボキシレート；並びにこれらの混合物が挙げられる。アニオン性界面活性剤は、Ｃ１０〜Ｃ１８アルキルベンゼンスルホネート（ＬＡＳ）、好ましくはＣ１０〜Ｃ１３アルキルベンゼンスルホネート；Ｃ１０〜Ｃ２０分岐鎖、直鎖及びランダム鎖一級アルキルサルフェート（ＡＳ）であって、通常次の式を有し、
ＣＨ３（ＣＨ２）ｘＣＨ２−ＯＳＯ３−Ｍ＋
式中、Ｍは水素又は電気的中性を提供するカチオンであり、好ましいカチオンはナトリウム及びアンモニウムカチオンであり、ｘは少なくとも７、好ましくは少なくとも９の整数であるもの；Ｃ１０〜Ｃ１８二級（２，３）アルキルサルフェートであって、通常次の式を有し、
【００５３】
【化１０】
0006453361.tif 000011
式中、Ｍは水素又は電気的中性を提供するカチオンであり、好ましいカチオンはナトリウム及びアンモニウムカチオンを含み、ｘは少なくとも７、好ましくは少なくとも９の整数であり、ｙは少なくとも８、好ましくは少なくとも９の整数であるもの；Ｃ１０〜Ｃ１８のアルキルアルコキシカルボキシレート；中鎖分岐状アルキルサルフェート；変性アルキルベンゼンスルホネート（ＭＬＡＳ）；メチルエステルスルホネート（ＭＥＳ）；α−オレフィンスルホネート（ＡＯＳ）；並びにこれらの混合物からなる群から選択される。
【００５４】
好ましいアニオン性洗浄性界面活性剤としては、直鎖又は分岐鎖、置換又は非置換アルキルベンゼンスルホネート洗浄性界面活性剤類、好ましくは直鎖Ｃ８〜Ｃ１８アルキルベンゼンスルホネート洗浄性界面活性剤類；直鎖又は分岐鎖、置換又は非置換アルキルベンゼンサルフェート洗浄性界面活性剤類；直鎖Ｃ８〜Ｃ１８アルキルサルフェート洗浄性界面活性剤、Ｃ１〜Ｃ３アルキル分岐鎖Ｃ８〜Ｃ１８アルキルサルフェート洗浄性界面活性剤、直鎖又は分岐鎖アルコキシル化Ｃ８〜Ｃ１８アルキルサルフェート洗浄性界面活性剤、及びこれらの混合物を含む、直鎖又は分岐鎖、置換又は非置換アルキルサルフェート洗浄性界面活性剤；直鎖又は分岐鎖、置換又は非置換アルキルスルホネート洗浄性界面活性剤；並びにこれらの混合物、が挙げられる。
【００５５】
好ましいアルコキシル化アルキルサルフェート洗浄性界面活性剤は、平均アルコキシル化度が１〜３０、好ましくは１〜１０の、直鎖又は分岐鎖、置換又は非置換Ｃ８〜１８アルキルアルコキシル化サルフェート洗浄性界面活性剤である。好ましくはアルコキシル化アルキルサルフェート洗浄性界面活性剤は、平均エトキシル化度が１〜１０の、直鎖又は分枝状、置換又は非置換Ｃ８〜１８アルキルエトキシル化サルフェートである。最も好ましくは、アルコキシル化アルキルサルフェート洗浄性界面活性剤は、平均エトキシル化度が３〜７の、直鎖、非置換Ｃ８〜１８アルキルエトキシル化サルフェートである。
【００５６】
好ましいアニオン性洗浄性界面活性剤は、直鎖又は分岐鎖、置換又は非置換、Ｃ１２〜１８アルキルサルフェート；直鎖又は分岐鎖、置換又は非置換、Ｃ１０〜１３アルキルベンゼンスルホネート、好ましくは直鎖、Ｃ１０〜１３アルキルベンゼンスルホネート；及びこれらの混合物からなる群から選択される。極めて好ましいのは、直鎖Ｃ１０〜１３アルキルベンゼンスルホネートである。極めて好ましいのは、市販の直鎖アルキルベンゼン（ＬＡＢ）をスルホン化することにより得ることが可能な、好ましくは得られる、直鎖Ｃ１０〜１３アルキルベンゼンスルホネートであり；好適なＬＡＢは、Ｓａｓｏｌ製商品名Ｉｓｏｃｈｅｍ（登録商標）又はＰｅｔｒｅｓａ製商品名Ｐｅｔｒｅｌａｂ（登録商標）で供給されているような、低級２−フェニルＬＡＢを含み、他の好適なＬＡＢには、Ｓａｓｏｌ製商品名Ｈｙｂｌｅｎｅ（登録商標）で供給されているような、高級２−フェニルＬＡＢを含む。好適なアニオン性洗浄性界面活性剤は、ＤＥＴＡＬ触媒プロセスによって得られるアルキルベンゼンスルホネートであるが、ＨＦ等の他の合成経路が好適な場合もある。
【００５７】
別の好適なアニオン性洗浄性界面活性剤は、アルキルエトキシカルボキシレートである。
【００５８】
アニオン性洗浄性界面活性剤は通常、その塩形態で存在し、一般的には好適なカチオンと錯体化している。好適な対イオンとしては、Ｎａ＋及びＫ＋、Ｃ１〜Ｃ６アルカノールアンモニウムなどの置換アンモニウム、好ましくはモノエタノールアミン（ＭＥＡ）、トリエタノールアミン（ＴＥＡ）、ジエタノールアミン（ＤＥＡ）、及びこれらの任意の組み合わせが挙げられる。
【００５９】
しかしながら、好ましくは少なくとも２０重量％、又は少なくとも３０重量％、又は少なくとも４０重量％、又は少なくとも５０重量％、又は少なくとも６０重量％、又は少なくとも７０重量％、又は少なくとも８０重量％、又は更には少なくとも９０重量％のアニオン性洗浄界面活性剤が、ナトリウムカチオンにより中和される。
【００６０】
アニオン性洗浄性界面活性剤は８．０〜９．１の親水性指数（ＨＩＣ）を有するのが好ましい場合もあり、アニオン性洗浄性界面活性剤は６．０〜８．０又は７．０〜８．０未満の範囲のうちの１つなど、より低い親水性指数（ＨＩＣ）を有するのが更に好ましい場合がある。親水性指数（ＨＩＣ）は、国際公開第００／２７９５８号に更に詳細に記載されている。
【００６１】
好適なカチオン性洗浄性界面活性剤類としては、アルキルピリジニウム化合物、アルキル四級アンモニウム化合物、アルキル四級ホスホニウム化合物、アルキル３元スルホニウム化合物、並びにこれらの混合物が挙げられる。カチオン性洗浄性界面活性剤は、アルコキシル化四級アンモニウム（ＡＱＡ）界面活性剤；ジメチルヒドロキシエチル四級アンモニウム；ポリアミンカチオン性界面活性剤；カチオン性エステル界面活性剤；アミノ界面活性剤、具体的には、アミドプロピルジメチルアミン；及びこれらの混合物からなる群から選択されることができる。好適なカチオン性洗浄性界面活性剤は、次の一般式を有する四級アンモニウム化合物であり：
（Ｒ）（Ｒ１）（Ｒ２）（Ｒ３）Ｎ＋Ｘ−
式中、Ｒは直鎖若しくは分枝鎖、置換若しくは非置換、Ｃ６〜１８アルキル又はアルケニル部分であり、Ｒ１とＲ２はそれぞれ独立してメチル又はエチル部分から選択され、Ｒ３は、ヒドロキシル、ヒドロキシメチル又はヒドロキシエチル部分であり、Ｘは電気的中性を提供するアニオンであり、好適なアニオンには、ハロゲン化合物（クロライドなど）、サルフェート又はスルホネートが含まれる。好適なカチオン性洗浄性界面活性剤は、モノＣ６〜１８アルキルモノヒドロキシエチルジメチル四級アンモニウムクロライドである。極めて好ましいカチオン性洗浄性界面活性剤は、モノＣ８〜１０アルキルモノヒドロキシエチルジメチル四級アンモニウムクロライド、モノＣ１０〜１２アルキルモノヒドロキシエチルジメチル四級アンモニウムクロライド及びモノＣ１０アルキルモノヒドロキシエチルジメチル四級アンモニウムクロライドである。
【００６２】
好適な非イオン性洗浄性界面活性剤は、Ｓｈｅｌｌ製のＮＥＯＤＯＬ（登録商標）非イオン性界面活性剤などのＣ８〜Ｃ１８アルキルエトキシレート；Ｃ６〜Ｃ１２アルキルフェノールアルコキシレートであって、該アルコキシレート単位がエチレンオキシ単位、プロピレンオキシ単位又はこれらの混合物であるもの；Ｃ１２〜Ｃ１８アルコール及びＣ６〜Ｃ１２アルキルフェノールとＢＡＳＦ製のＰｌｕｒｏｎｉｃ（登録商標）などのエチレンオキシド／プロピレンオキシドブロックポリマーとの縮合物；Ｃ１４〜Ｃ２２中鎖分枝状アルコール（ＢＡ）；Ｃ１４〜Ｃ２２中鎖分枝状アルキルアルコキシレート（ＢＡＥｘ）であって、式中ｘ＝１〜３０のもの；アルキル多糖、具体的には、アルキルポリグリコシド；ポリヒドロキシ脂肪酸アミド；エーテル末端保護ポリ（オキシアルキル化）アルコール界面活性剤；並びにこれらの混合物からなる群から選択されることができる。
【００６３】
非イオン性洗浄界面活性剤は、アルキルポリグルコシド及び／又はアルキルアルコキシル化アルコールであり得る。好ましくは非イオン性洗浄性界面活性剤は、平均エトキシル化度が１〜１０、より好ましくは３〜７の、直鎖又は分枝鎖、置換又は非置換のＣ８〜１８アルキルエトキシル化アルコールである。
【００６４】
好適な双極性イオン及び／又は両性洗浄性界面活性剤としては、アルカノールアミンスルホベタインが挙げられる。
【００６５】
本組成物が分枝状アニオン性洗浄性界面活性剤及び／又は分枝状非イオン性洗浄性界面活性剤を含むことが好ましいことがある。好ましくは、分枝状アニオン性洗浄性界面活性剤及び／又は分枝状非イオン性洗浄性界面活性剤は、天然源に由来し、好ましくは天然源は生体由来イソプレノイドを含み、最も好ましくはファルネセンを含む。
【００６６】
界面活性増強ポリマー。本組成物は、界面活性増強ポリマーを含んでもよい。好ましいポリマーは、両親媒性アルコキシル化グリース洗浄ポリマー及び／又はランダムグラフトコポリマーである。これらのポリマーは、下記でより詳細に説明される。
【００６７】
両親媒性アルコキシル化グリース洗浄ポリマー。両親媒性アルコキシル化グリース洗浄ポリマーは、布地及び表面からグリース粒子を除去するように親水性と疎水性が釣り合っている任意のアルコキシル化ポリマーを指す。本発明の両親媒性アルコキシル化グリース洗浄ポリマーの具体的な実施形態は、コア構造と、そのコア構造に結合した複数のアルコキシレート基と、を含む。
【００６８】
コア構造は、式（Ｉ）、（ＩＩ）、（ＩＩＩ）及び（ＩＶ）の繰り返し単位を凝縮形態で含む、ポリアルキレンイミン構造を含むことができ、
【００６９】
【化１１】
0006453361.tif 000012
式中、＃はいずれの場合でも、窒素原子と、式（Ｉ）、（ＩＩ）、（ＩＩＩ）又は（ＩＶ）の２つの隣接する繰り返し単位のＡ１基の遊離結合部位との間の結合の半分を示し；＊はいずれの場合でも、アルコキシレート基の１つとの結合の半分を示し；Ａ１は、直鎖又は分枝鎖のＣ２〜Ｃ６アルキレンからそれぞれ独立して選択され；ポリアルキレンイミン構造は、式（Ｉ）の１つの繰り返し単位、式（ＩＩ）のｘ繰り返し単位、式（ＩＩＩ）のｙ繰り返し単位及び式（ＩＶ）のｙ＋１繰り返し単位からなり、ｘ及びｙはいずれの場合も、０〜約１５０の範囲の値を有しており；ポリアルキレンイミンのコア構造の重量平均分子量Ｍｗは、約６０〜約１０，０００ｇ／ｍｏｌの範囲の値である。
【００７０】
あるいはコア構造は、式（Ｉ．ａ）及び／又は（Ｉ．ｂ）のＮ−（ヒドロキシアルキル）アミンから選択される、少なくとも１つの化合物の縮合生成物のポリアルカノールアミン構造を含むことができ、
【００７１】
【化１２】
0006453361.tif 000013
式中、ＡはＣ１〜Ｃ６アルキレンからそれぞれ独立して選択され；Ｒ１、Ｒ１＊、Ｒ２、Ｒ２＊、Ｒ３、Ｒ３＊、Ｒ４、Ｒ４＊、Ｒ５及びＲ５＊は、水素、アルキル、シクロアルキル又はアリールからそれぞれ独立して選択され、基のうち最後の３つは任意に置換されてもよく；Ｒ６は水素、アルキル、シクロアルキル又はアリールから選択され、基のうち最後の３つは任意に置換されてもよい。
【００７２】
コア構造に結合した複数のアルキレンオキシ基は、式（Ｖ）のアルキレンオキシ単位からそれぞれ独立して選択され、
【００７３】
【化１３】
0006453361.tif 000014
式中、＊はいずれの場合でも、式（Ｉ）、（ＩＩ）又は（ＩＶ）の繰り返し単位の窒素原子への結合の半分を示し；Ａ２はいずれの場合でも、１，２−プロピレン、１，２−ブチレン及び１，２−イソブチレンからそれぞれ独立して選択され；Ａ３は１，２−プロピレンであり；Ｒはいずれの場合でも、水素及びＣ１〜Ｃ４アルキルからそれぞれ独立して選択され；ｍは、０〜約２の範囲の平均値を有し；ｎは、約２０〜約５０の範囲の平均値を有し；ｐは、約１０〜約５０の範囲の平均値を有する。
【００７４】
両親媒性アルコキシル化グリース洗浄ポリマーの具体的な実施形態は、内側ポリエチレンオキシドブロックと外側ポリプロピレンオキシドブロックとを有するアルコキシル化ポリアルキレンイミンから選択されてもよく、エトキシル化度及びプロポキシル化度は特定の制限値を上回りも下回りもしない。本発明によるアルコキシル化ポリアルキレンイミンの具体的な実施形態は、ポリエチレンブロックの、ポリプロピレンブロックに対する比率（ｎ／ｐ）の最小値が約０．６であり、最大値が約１．５（ｘ＋２ｙ＋１）１／２である。約０．８〜約１．２（ｘ＋２ｙ＋１）１／２のｎ／ｐ比率を有するアルコキシル化ポリアルキレンイミンは、特に有益な特性を有することが判明している。
【００７５】
本発明によるアルコキシル化ポリアルキレンイミンは一級、二級及び三級アミン窒素原子からなる主鎖を有し、これらの窒素原子はアルキレン基Ａにより互いに結合し、ランダムに配列される。ポリアルキレンイミン骨格鎖の主鎖及び側鎖を開始又は終端し、その残りの水素原子が続いてアルキレンオキシ単位により置換される、一級アミノ部分は、それぞれ式（Ｉ）又は（ＩＶ）の繰り返し単位と呼ばれる。残りの水素原子が続いてアルキレンオキシ単位により置換される二級アミノ部分は、式（ＩＩ）の繰り返し単位と呼ばれる。主鎖及び側鎖に分枝する三級アミノ部分は、式（ＩＩＩ）の繰り返し単位と呼ばれる。
【００７６】
環化はポリアルキレンイミン主鎖の形成時に生じる可能性があるので、環状アミノ部分が主鎖内にわずかな程度で存在する場合もある。環状アミノ部分を含有するこのようなポリアルキレンイミンは、当然ながら、非環式一級及び二級アミノ部分からなるものと同様にアルコキシル化される。
【００７７】
窒素原子及びＡ１基からなるポリアルキレンイミン主鎖は、約６０〜約１０，０００ｇ／ｍｏｌ、好ましくは約１００〜約８，０００ｇ／ｍｏｌ、より好ましくは約５００〜約６，０００ｇ／ｍｏｌの平均分子量Ｍｗを有する。
【００７８】
和（ｘ＋２ｙ＋１）は、１つの個々のポリアルキレンイミン主鎖内に存在するアルキレンイミン単位の総数に相当し、したがってポリアルキレンイミン主鎖の分子量に直接関わる。しかし具体例で記載された値は、混合物中に存在するすべてのポリアルキレンイミンの数平均に関する。和（ｘ＋２ｙ＋２）は、１つの個々のポリアルキレンイミン主鎖内に存在するアミノ基の総数に相当する。
【００７９】
アミノ窒素原子に接続するＡ１基は、１，２−エチレン、１，２−プロピレン、１，２−ブチレン、１，２−イソブチレン、１，２−ペンタンジイル、１，２−ヘキサンジイル又はヘキサメチレンなどの、同一又は異なる、直鎖又は分枝鎖Ｃ２〜Ｃ６アルキレン基であってもよい。好ましい分枝状アルキレンは、１，２−プロピレンである。好ましい直鎖アルキレンは、エチレン及びヘキサメチレンである。より好ましいアルキレンは、１，２−エチレンである。
【００８０】
ポリアルキレンイミン主鎖の一級及び二級アミノ基の水素原子は、式（Ｖ）のアルキレンオキシ単位により置換される。
【００８１】
【化１４】
0006453361.tif 000015
【００８２】
この式で変数は、以下に与えられる意味のうちの１つを有することが好ましい。
Ａ２はいずれの場合でも、１，２−プロピレン、１，２−ブチレン及び１，２−イソブチレンから選択され；好ましくは、Ａ２は１，２−プロピレンである。Ａ３は１，２−プロピレンであり；Ｒはいずれの場合でも、水素、並びにメチル、エチル、ｎ−プロピル、イソプロピル、ｎ−ブチル、イソブチル及びｔｅｒｔ−ブチルなどＣ１〜Ｃ４アルキルから選択され；好ましくは、Ｒは水素である。指数ｍはいずれの場合でも、０〜約２の値を有し；好ましくは、ｍは０又は約１であり；より好ましくは、ｍは０である。指数ｎは、約２０〜約５０の範囲、好ましくは約２２〜約４０の範囲、より好ましくは約２４〜約３０の範囲の平均値を有する。指数ｐは、約１０〜約５０の範囲、好ましくは約１１〜約４０の範囲、より好ましくは約１２〜約３０の範囲の平均値を有する。
【００８３】
好ましくは、式（Ｖ）のアルキレンオキシ単位は、アルコキシレートブロックの非ランダム配列である。非ランダム配列により、［−Ａ２−Ｏ−］ｍが１番目に付加され（すなわち、式（Ｉ）、（ＩＩ）又は（ＩＩＩ）の繰り返し単位の窒素原子に対する結合に最も近接している）、［−ＣＨ２−ＣＨ２−Ｏ−］ｎが２番目に付加され、［−Ａ３−Ｏ−］ｐが３番目に付加されること、を意味する。この配置は、内側ポリエチレンオキシドブロックと外側ポリプロピレンオキシドブロックとを有する、アルコキシル化ポリアルキレンイミンを提供する。
【００８４】
式（Ｖ）のこれらのアルキレンオキシ単位の実質的部分は、エチレンオキシ単位−［ＣＨ２−ＣＨ２−Ｏ）］ｎ−及びプロピレンオキシ単位−［ＣＨ２−ＣＨ２（ＣＨ３）−Ｏ］ｐ−により形成される。アルキレンオキシ単位は追加的に、ほんの一部のプロピレンオキシ又はブチレンオキシ単位−［Ａ２−Ｏ］ｍ−を更に有してもよく、すなわち水素原子で飽和したポリアルキレンイミン主鎖は、存在するＮＨ−部分１モル当たりで最大約２モル、特に約０．５〜約１．５モル、特に約０．８〜約１．２モルの、少量のプロピレンオキシド又はブチレンオキシドと最初に反応させてもよい、すなわち初期にアルコキシル化させてもよい。
【００８５】
ポリアルキレンイミン主鎖のこの最初の変性により、必要である場合には、アルコキシル化における反応混合物の粘性を低下させることができる。しかしながら、変性は一般にアルコキシル化ポリアルキレンイミンの性能特性に影響せず、したがって、好ましい指標を構成しない。
【００８６】
両親媒性アルコキシル化グリース洗浄ポリマーは、本発明の洗剤及び洗浄組成物中に、組成物の約０．０５重量％〜１０重量％の範囲の濃度で存在する。本組成物の実施形態は、約０．１重量％〜約５重量％を含んでもよい。より具体的には本実施形態は、約０．２５〜約２．５％のグリース洗浄ポリマーを含んでもよい。
【００８７】
ランダムグラフトコポリマー。好適なランダムグラフトコポリマーは通常、（ｉ）不飽和Ｃ１〜Ｃ６カルボン酸、エーテル、アルコール、アルデヒド、ケトン、エステル、糖単位、アルコキシ単位、無水マレイン酸、グリセロールなどの飽和ポリアルコール、及びこれらの混合物からなる群から選択されるモノマーを含む親水性主鎖と；（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群より選択される疎水性側鎖と；を含む。
【００８８】
このポリマーは好ましくは、次の一般式を有する。
【００８９】
【化１５】
0006453361.tif 000016
式中、Ｘ、Ｙ及びＺは、Ｈ又はＣ１〜６アルキルからそれぞれ独立して選択されるキャッピング単位であり；各Ｒ１は、メチル及びエチルからそれぞれ独立して選択され；各Ｒ２は、Ｈ及びメチルからそれぞれ独立して選択され；各Ｒ３は、それぞれ独立してＣ１〜４アルキルであり；Ｒ４は、ピロリドン及びフェニル基からそれぞれ独立して選択される。ポリエチレンオキシド主鎖の重量平均分子量は通常、約１，０００ｇ／ｍｏｌ〜約１８，０００ｇ／ｍｏｌ、又は約３，０００ｇ／ｍｏｌ〜約１３，５００ｇ／ｍｏｌ、又は約４，０００ｇ／ｍｏｌ〜約９，０００ｇ／ｍｏｌである。ペンダント基がポリマーの重量に対して、少なくとも５０％、又は約５０％〜約９８％、又は約５５％〜約９５％、又は約６０％〜約９０％を含むように、ｍ、ｎ、ｏ、ｐ及びｑの値が選択される。本明細書で有用なポリマーは通常、約１，０００〜約１００，０００ｇ／ｍｏｌ、又は好ましくは約２，５００ｇ／ｍｏｌ〜約４５，０００ｇ／ｍｏｌ、又は約７，５００ｇ／ｍｏｌ〜約３３，８００ｇ／ｍｏｌ、又は約１０，０００ｇ／ｍｏｌ〜約２２，５００ｇ／ｍｏｌの重量平均分子量を有する。
【００９０】
他のポリマー。組成物は好ましくは、界面活性増強ポリマーの他にポリマーを含む。好適な他のポリマーは、汚れ遊離ポリマー、再付着防止ポリマー、カルボキシレートポリマー、及び／又は付着補助ポリマーを含む。他の好適なポリマーとしては、ポリビニルピロリドンポリマー、ポリアミンＮ−オキシドポリマー、Ｎ−ビニルピロリドン及びＮ−ビニルイミダゾールポリマーのコポリマーなどの移染阻害剤が挙げられる。
【００９１】
汚れ遊離ポリマー。好適な汚れ遊離ポリマーとしては、ランダム又はブロック構成で、糖、ジカルボン酸、ポリオール及びこれらの組み合わせから選択される、少なくとも１つのモノマー単位を含むポリマーが挙げられる。他の好適な汚れ遊離ポリマーとしては、エチレンテレフタレート系ポリマー及びそのコポリマー、好ましくはランダム又はブロック構成におけるエチレンテレフタレートとポリエチレンオキシドのコポリマーが挙げられる。
【００９２】
再付着防止ポリマー。本組成物は、再付着防止ポリマー、好ましくは０．１重量％〜１０重量％の再付着防止ポリマーを含んでもよい。好適な再付着防止ポリマーとしては、アクリル酸、マレイン酸（又は無水マレイン酸）、フマル酸、イタコン酸、アコニット酸、メサコン酸、シトラコン酸、メチレンマロン酸及びこれらの任意の混合物から選択される、少なくとも１つのモノマーを含むポリマーなどのカルボキシレートポリマーが挙げられる。好適なカルボキシレートポリマーの例。
【００９３】
他の好適な再付着防止ポリマーとしては、ポリエチレングリコールが挙げられ、好ましくは５００〜１００，０００Ｄａの範囲の分子量を有する。
【００９４】
カルボキシレートポリマー。本組成物が、本組成物の０重量％超〜５重量％の高分子カルボキシレートを含むことが好ましいものであり得る。高分子カルボキシレートは、洗浄溶液中で遊離カルシウムイオンを隔離することができる。カルボキシレートポリマーはまた、汚れ分散剤としても作用することができ、改善された粒子染み除去洗浄効果をもたらすことができる。
【００９５】
本組成物は、好ましくは高分子カルボキシレートを含む。好ましい高分子カルボキシレートは、好ましくは１，０００Ｄａ〜２０，０００Ｄａの重量平均分子量を有するポリアクリレートと；好ましくはマレイン酸モノマーのアクリル酸モノマーに対するモル比が１：１〜１：１０であり、かつ１０，０００Ｄａ〜２００，０００Ｄａの重量平均分子量を有するか、又は好ましくはマレイン酸モノマーのアクリル酸モノマーに対するモル比が０．３：１〜３：１であり、かつ１，０００Ｄａ〜５０，０００Ｄａの重量平均分子量を有する、マレイン酸とアクリル酸とのコポリマーと；を含む。
【００９６】
付着助剤。本組成物は付着助剤を含んでもよい。好適な付着助剤は多糖であり、好ましくはセルロース系ポリマーである。他の好適な付着助剤としては、ポリジアリルジメチルアンモニウムハロゲン化物（ＤＡＤＭＡＣ）、並びに、ランダム又はブロック構成での、ビニルピロリドン、アクリルアミド、イミダゾール、イミダゾリニウムハロゲン化物及びこれらの混合物との、ＤＡＤＭＡＣのコポリマーが挙げられる。他の好適な付着助剤としては、カチオン性グアーガム、カチオン性ヒドロキシエチルセルロース、カチオン性デンプン、カチオン性ポリアシルアミドなどのカチオン性セルロース、及びこれらの混合物が挙げられる。
【００９７】
非高分子移染阻害剤。マンガン、フタロシアニン、ペルオキシダーゼ、及びこれらの混合物などの非高分子移染阻害剤も使用されてもよい。
【００９８】
キレート剤。キレート剤としては、エチレンジアミン四酢酸（ＥＤＴＡ）；ジエチレントリアミンペンタメチレンホスホン酸（ＤＴＰＭＰ）；ヒドロキシエタンジホスホン酸（ＨＥＤＰ）；エチレンジアミンＮ，Ｎ’−二コハク酸（ＥＤＤＳ）；メチルグリシン二酢酸（ＭＧＤＡ）；ジエチレントリアミン五酢酸（ＤＴＰＡ）；プロピレンジアミン四酢酸（ＰＤＴＡ）；２−ヒドロキシピリジン−Ｎ−酸化物（ＨＰＮＯ）；又は、メチルグリシン二酢酸（ＭＧＤＡ）；グルタミン酸Ｎ，Ｎ−二酢酸（Ｎ，Ｎ−ジカルボキシメチルグルタミン酸四ナトリウム塩）（ＧＬＤＡ）；ニトリロ三酢酸（ＮＴＡ）；４，５−ジヒドロキシ−ｍ−ベンゼンジスルホン酸；クエン酸；及びこれらの任意の塩を挙げることができるが、これらに限定されない。
【００９９】
キレート剤は通常、組成物中に０．１重量％〜１０重量％の濃度で存在する。キレート剤は、液体組成物中に懸濁される固体粒子の形態でもよい。
【０１００】
色相染料。組成物は、布地色相剤（色合い剤、青味剤、又は増白剤と称される場合もある）を含んでもよい。通常、色相剤は布地に青又は紫の色合いをもたらす。色相剤は単独又は組み合わせで使用されて、特定の色合いを作り出すことができ、及び／又は様々な種類の布地に色合いをつけることができる。これは、例えば赤と緑青の染料とを混合して青又は紫の色合いを生じさせることにより提供され得る。色相剤は、任意の既知の化学的分類の染料から選択されてよく、これらは、アクリジン、アントラキノン（多環式キノンを含む）、アジン、予備金属化されたアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない。
【０１０１】
好適な布地色相剤としては、染料、染料−粘土複合体、並びに有機及び無機顔料が挙げられる。好適な染料としては、小分子染料及び高分子染料が挙げられる。好適な小分子染料としては、例えば、青、紫、赤、緑、又は黒に分類され、単独で又は組み合わせで所望の色合いをもたらす、直接染料、塩基性染料、反応染料若しくは加水分解した反応性染料、溶剤染料又は分散染料の色指数（Ｃ．Ｉ．）分類に分類される染料からなる群から選択される小分子染料が挙げられる。別の態様では、好適な小分子染料としては、色指数（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ（ＵＫ））番号：ダイレクトバイオレット染料（９、３５、４８、５１、６６、及び９９など）、ダイレクトブルー染料（１、７１、８０、及び２７９など）、アシッドレッド染料（１７、７３、５２、８８、及び１５０など）、アシッドバイオレット染料（１５、１７、２４、４３、４９、及び５０など）、アシッドブルー染料（１５、１７、２５、２９、４０、４５、７５、８０、８３、９０、及び１１３など）、アシッドブラック染料（１など）、ベーシックバイオレット染料（１、３、４、１０、及び３５など）、ベーシックブルー染料（３、１６、２２、４７、６６、７５、及び１５９など）、分散又は溶剤染料、及びこれらの混合物からなる群から選択される小分子染料が挙げられる。別の態様では、好適な小分子染料としては、Ｃ．Ｉ．番号アシッドバイオレット１７、ダイレクトブルー７１、ダイレクトバイオレット５１、ダイレクトブルー１、アッシドレッド８８、アッシドレッド１５０、アッシドブルー２９、アッシドブルー１１３、又はこれらの混合物からなる群から選択される小分子染料が挙げられる。
【０１０２】
好適なポリマー染料としては、例えばポリマーと色原体とを共重合してポリマーの主鎖にしたものなどの、共有結合した（共役したと呼ばれることもある）色原体を含有するポリマー（染料−ポリマー共役体）、及びこれらの混合物からなる群から選択されるポリマー染料が挙げられる。
【０１０３】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で販売されている布地直接着色剤、及び少なくとも１つの反応染料と、ヒドロキシル部分、一級アミン部分、二級アミン部分、チオール部分及びこれらの混合物からなる群から選択される部分を含むポリマーからなる群から選択されるポリマーと、から形成される染料−ポリマー共役体からなる群から選択されるポリマー染料が挙げられる。更に別の態様では、好適なポリマー染料としては、Ｌｉｑｕｉｔｉｎｔ（登録商標）バイオレットＣＴ、Ｃ．Ｉ．リアクティブブルー１９と共役しているＣＭＣなどのリアクティブブルー、リアクティブバイオレット、又はリアクティブレッドの染料に共有結合しているカルボキシメチルセルロース（ＣＭＣ）（Ｍｅｇａｚｙｍｅ（Ｗｉｃｋｌｏｗ，Ｉｒｅｌａｎｄ）から商品名ＡＺＯ−ＣＭ−ＣＥＬＬＵＬＯＳＥ、商品コードＳ−ＡＣＭＣで販売されている）、アルコキシル化トリフェニル−メタンポリマー着色剤、アルコキシル化チオフェンポリマー着色料、及びこれらの混合物からなる群から選択されるポリマー染料が挙げられる。
【０１０４】
好ましい色相染料は、増白剤を含む。本発明で使用するための好適な色相剤は、国際公開第２０１１／０１１７９９号の表５の実施例１〜４２から選択される染料を含む、これらの参考文献に開示されている好適な染料であってよい。他の好ましい染料は、米国特許第８１３８２２２号に開示されている。他の好ましい染料は、国際公開第２００９／０６９０７７号に開示されている。
【０１０５】
好適な染料粘土複合体としては、少なくとも１つのカチオン性／塩基性染料及びスメクタイト粘土、並びにこれらの混合物を含む群から選択される染料粘土複合体が挙げられる。別の態様では、好適な染料粘土複合体として、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、及び、モンモリロナイト粘土、ヘクトライト粘土、サポナイト粘土からなる群から選択される粘土、並びにこれらの混合物からなる群から選択される、１つのカチオン性／塩基性染料からなる群から選択される、染料粘土複合体が挙げられる。更に別の態様では、好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５共役体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びこれらの混合物からなる群から選択される染料粘土複合体が挙げられる。
【０１０６】
好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキル基又はフェニル基又は複素環式基によって置換されていてもよく、そのフェニル基及び複素環式基は、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。
【０１０７】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０１０８】
上記の布地色相剤は、組み合わせて用いることができる（布地色相剤のいずれの混合物も用いることができる）。
【０１０９】
酵素。本組成物は、好ましくは酵素を含む。好ましくは、本組成物は、比較的高濃度の酵素を含む。最も好ましくは、本組成物は、少なくとも０．０１重量％の活性酵素を含む。組成物は少なくとも０．０３重量％の活性酵素を含むことが、好ましい場合がある。
【０１１０】
本組成物が、プロテアーゼ、アミラーゼ、リパーゼ、及び／又はセルラーゼから選択される少なくとも３成分酵素系を含むことが好ましい場合がある。
【０１１１】
リパーゼ。好適なリパーゼとしては、細菌由来又は真菌由来のものが挙げられる。化学修飾した又はタンパク質操作された突然変異体が含まれる。有用なリパーゼの例としては、例えば、Ｈ．ｌａｎｕｇｉｎｏｓａ（Ｔ．ｌａｎｕｇｉｎｏｓｕｓ）又はＨ．ｉｎｓｏｌｅｎｓ等のＨｕｍｉｃｏｌａ属（別名Ｔｈｅｒｍｏｍｙｃｅｓ属）由来のリパーゼ；例えば、Ｐ．ａｌｃａｌｉｇｅｎｅｓ又はＰ．ｐｓｅｕｄｏａｌｃａｌｉｇｅｎｅｓ、Ｐ．ｃｅｐａｃｉａ、Ｐ．ｓｔｕｔｚｅｒｉ、Ｐ．ｆｌｕｏｒｅｓｃｅｎｓ、Ｐｓｅｕｄｏｍｏｎａｓ  ｓｐ．ＳＤ７０５株、Ｐ．ｗｉｓｃｏｎｓｉｎｅｎｓｉｓ等のＰｓｅｕｄｏｍｏｎａｓ属のリパーゼ；例えば、Ｂ．ｓｕｂｔｉｌｉｓ、Ｂ．ｓｔｅａｒｏｔｈｅｒｍｏｐｈｉｌｕｓ、又はＢ．ｐｕｍｉｌｕｓ等のＢａｃｉｌｌｕｓ属のリパーゼが挙げられる。
【０１１２】
リパーゼは、「第１サイクルリパーゼ」でもよい。一態様では、リパーゼは第１洗浄用リパーゼであり、好ましくはＴ２３１Ｒ及びＮ２３３Ｒ変異を含む、子嚢菌由来の野生型リパーゼの変異体である。野生型配列は、Ｓｗｉｓｓｐｒｏｔ受託番号Ｓｗｉｓｓ−ＰｒｏｔＯ５９９５２の、（子嚢菌（フミコーラ・ラヌギノサ）由来）２６９個のアミノ酸（アミノ酸２３〜２９１）である。好ましいリパーゼとしては、Ｎｏｖｏｚｙｍｅｓ（Ｂａｇｓｖａｅｒｄ，Ｄｅｎｍａｒｋ）製Ｌｉｐｅｘ（登録商標）、Ｌｉｐｏｌｅｘ（登録商標）、及びＬｉｐｏｃｌｅａｎ（登録商標）の商品名で販売されるものが挙げられよう。
【０１１３】
好ましくは、本組成物は、野生型アミノ酸と９０％超の同一性を有し、Ｔ２３１及び／又はＮ２３３、好ましくは、Ｔ２３１Ｒ及び／又はＮ２３３Ｒで置換（複数を含む）を含む、子嚢菌リパーゼの変異体（本明細書において、「第１洗浄用リパーゼ」）を含む。
【０１１４】
プロテアーゼ。好適なプロテアーゼとしては、サブチリシン（ＥＣ３．４．２１．６２）等の中性又はアルカリ性の微生物セリンプロテアーゼを含む、メタロプロテアーゼ及び／又はセリンプロテアーゼが挙げられる。好適なプロテアーゼとしては、動物、植物又は微生物起源のものが挙げられる。一態様では、このような好適なプロテアーゼは、微生物起源のものであってよい。好適なプロテアーゼとしては、前述の好適なプロテアーゼの化学的又は遺伝子学的に改変された突然変異体が挙げられる。一態様では、好適なプロテアーゼは、アルカリ性微生物プロテアーゼ又は／及びトリプシン型プロテアーゼなどのセリンプロテアーゼであってよい。好適な中性又はアルカリ性プロテアーゼの例としては、
（ａ）バチルス・レンタス、バチルス・アルカロフィルス、バチルス・ズブチリス、バチルス・アミロリケファシエンス、バチルス・プミルス及びバチルス・ギブソニなどのバチルスに由来するものを含む、サブチリシン（ＥＣ３．４．２１．６２）、
（ｂ）フサリウムプロテアーゼ、及びセルロモナスに由来するキモトリプシンプロテアーゼを含むトリプシン（例えば、ブタ由来又はウシ由来）などの、トリプシン型又はキモトリプシン型プロテアーゼ、
（ｃ）バチルス・アミロリケファシエンスに由来するものを含むメタロプロテアーゼ、が挙げられる。
【０１１５】
好ましいプロテアーゼとしては、バチルス・ギブソニ又はバチルス・レンタスに由来するものが挙げられる。
【０１１６】
好適な市販のプロテアーゼ酵素としては、Ｎｏｖｏｚｙｍｅｓ  Ａ／Ｓ（Ｄｅｎｍａｒｋ）によってＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）の商品名で販売されているもの；Ｇｅｎｅｎｃｏｒ  ＩｎｔｅｒｎａｔｉｏｎａｌによってＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）の商品名で販売されているもの；Ｓｏｌｖａｙ  ＥｎｚｙｍｅｓによってＯｐｔｉｃｌｅａｎ（登録商標）及びＯｐｔｉｍａｓｅ（登録商標）の商品名で販売されているもの、Ｈｅｎｋｅｌ／Ｋｅｍｉｒａから入手可能なもの、すなわちＢＬＡＰ（Ｓ９９Ｄ＋Ｓ１０１Ｒ＋Ｓ１０３Ａ＋Ｖ１０４Ｉ＋Ｇ１５９Ｓの変異を有するもの、以下ＢＬＡＰと称する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）、及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（いずれもＨｅｎｋｅｌ／Ｋｅｍｉｒａ製）、並びに、Ｋａｏ製ＫＡＰ（Ａ２３０Ｖ＋Ｓ２５６Ｇ＋Ｓ２５９Ｎの変異を有するＢａｃｉｌｌｕｓ  ａｌｋａｌｏｐｈｉｌｕｓのサブチリシン）が挙げられる。
【０１１７】
好ましくは、本組成物は、ＢＬＡＰ、ＢＬＡＰ  Ｒ、ＢＬＡＰ  Ｘ、又はＢＬＡＰ  Ｆ４９から選択されるサブチリシンプロテアーゼを含む。
【０１１８】
セルラーゼ。好適なセルラーゼとしては、細菌由来又は真菌由来のものが挙げられる。化学修飾した又はタンパク質操作された突然変異体が含まれる。好適なセルラーゼとしては、Ｂａｃｉｌｌｕｓ属、Ｐｓｅｕｄｏｍｏｎａｓ属、Ｈｕｍｉｃｏｌａ属、Ｆｕｓａｒｉｕｍ属、Ｔｈｉｅｌａｖｉａ属、Ａｃｒｅｍｏｎｉｕｍ属由来のセルラーゼ、例えば、Ｈｕｍｉｃｏｌａ  ｉｎｓｏｌｅｎｓ、Ｍｙｃｅｌｉｏｐｈｔｈｏｒａ  ｔｈｅｒｍｏｐｈｉｌａ、及びＦｕｓａｒｉｕｍ  ｏｘｙｓｐｏｒｕｍから生成される、真菌セルラーゼが挙げられる。
【０１１９】
一態様では、セルラーゼとしては、エンド−β−１，４−グルカナーゼ活性（Ｅ．Ｃ．３．２．１．４）を示す、微生物由来のエンドグルカナーゼが挙げられる。好適なエンドグルカナーゼは、Ｃｅｌｌｕｃｌｅａｎ（登録商標）（Ｎｏｖｏｚｙｍｅｓ  Ａ／Ｓ（Ｂａｇｓｖａｅｒｄ，Ｄｅｎｍａｒｋ））という商品名で販売されている。更に好適なエンドグルカナーゼは、ＸＹＧ１００６酵素（Ｎｏｖｏｚｙｍｅｓ）の変異体である。好適なエンドグルカナーゼは、Ｗｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））という商品名で販売されている。
【０１２０】
好ましくは、本組成物は、１７ｋＤａ〜３０ｋＤａの分子量を有するグリコシルヒドロラーゼファミリー４５に属する洗浄セルラーゼ、例えば、商品名Ｂｉｏｔｏｕｃｈ（登録商標）ＮＣＤ、ＤＣＣ、及びＤＣＬで販売されているエンドグルカナーゼ（ＡＢ  Ｅｎｚｙｍｅｓ（Ｄａｒｍｓｔａｄｔ，Ｇｅｒｍａｎｙ））を含む。
【０１２１】
アミラーゼ。好ましくは本組成物は、バチルスｓｐ．ＤＳＭ１２６４９に内因性のＡＡ５６０αアミラーゼに対して６０％超の同一性を有するアミラーゼを含み、好ましくはバチルスｓｐ．ＤＳＭ１２６４９に内因性のＡＡ５６０αアミラーゼの変異型であって、
（ａ）９、２６、１４９、１８２、１８６、２０２、２５７、２９５、２９９、３２３、３３９及び３４５の位置の１つ以上に突然変異と、
（ｂ）所望により、１１８、１８３、１８４、１９５、３２０及び４５８（存在する場合は好ましくはＲ１１８Ｋ、Ｄ１８３＊、Ｇ１８４＊、Ｎ１９５Ｆ、Ｒ３２０Ｋ及び／又はＲ４５８Ｋを含む）の位置において１つ以上、好ましくはすべて、置換及び／又は欠失と、を有する。
【０１２２】
好適な市販のアミラーゼ酵素としては、Ｓｔａｉｎｚｙｍｅ（登録商標）Ｐｌｕｓ、Ｓｔａｉｎｚｙｍｅ（登録商標）、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ（すべてＮｏｖｏｚｙｍｅｓ（Ｂａｇｓｖａｅｒｄ，Ｄｅｎｍａｒｋ））、及びＳｐｅｚｙｍｅ（登録商標）ＡＡ、又はＵｌｔｒａｐｈｌｏｗ（Ｇｅｎｅｎｃｏｒ（Ｐａｌｏ  Ａｌｔｏ，ＵＳＡ））が挙げられる。
【０１２３】
コリンオキシダーゼ。好ましくは本組成物は、Ａｒｔｈｒｏｂａｃｔｅｒ  ｎｉｃｏｔｉａｎａｅに内因性の５９．１ｋＤａのコリンオキシダーゼ酵素などの、コリンオキシダーゼ酵素を含む。
【０１２４】
他の酵素。他の好適な酵素は、植物、細菌、又は真菌由来のものを含む、ペルオキシダーゼ／オキシダーゼである。化学修飾した又はタンパク質操作された突然変異体が含まれる。有用なペルオキシダーゼの例としては、コプリヌス属由来、例えば、Ｃ．ｃｉｎｅｒｅｕｓ由来のペルオキシダーゼ及びその変異体が挙げられる。
【０１２５】
市販のペルオキシダーゼとしては、ＧＵＡＲＤＺＹＭＥ（登録商標）（Ｎｏｖｏｚｙｍｅｓ  Ａ／Ｓ）が挙げられる。
【０１２６】
他の好ましい酵素には、商品名Ｐｅｃｔａｗａｓｈ（登録商標）、Ｐｅｃｔａｗａｙ（登録商標）で販売されているペクチン酸リアーゼ（いずれもＮｏｖｏｚｙｍｅｓ  Ａ／Ｓ（Ｂａｇｓｖａｅｒｄ，Ｄｅｎｍａｒｋ））、並びに、商品名Ｍａｎｎａｗａｙ（登録商標）（Ｎｏｖｏｚｙｍｅｓ  Ａ／Ｓ（Ｂａｇｓｖａｅｒｄ，Ｄｅｎｍａｒｋ））及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））で販売されているマンナナーゼ；クチナーゼ；ホスホリパーゼ；及びこれらの任意の混合物が含まれる。
【０１２７】
相同性。２つのアミノ酸配列の相関性は、「相同性」というパラメータによって表される。本発明の目的において、２つのアミノ酸配列のアラインメントは、ＥＭＢＯＳＳパッケージ（ｈｔｔｐ：／／ｅｍｂｏｓｓ．ｏｒｇ）バージョン２．８．０．からのＮｅｅｄｌｅプログラムを使用することにより、決定される。Ｎｅｅｄｌｅプログラムは、Ｎｅｅｄｌｅｍａｎ，Ｓ．Ｂ．ａｎｄ  Ｗｕｎｓｃｈ，Ｃ．Ｄ．（１９７０）Ｊ．Ｍｏｌ．Ｂｉｏｌ．４８，４４３〜４５３に記載のグローバルアラインメントアルゴリズムを実行する。用いる置換マトリクスはＢＬＯＳＵＭ６２であり、ギャップオープニングペナルティは１０であり、ギャップエクステンションペナルティは０．５である。
【０１２８】
酵素安定剤。本組成物は、酵素安定剤を含み得る。好適な酵素安定剤としては、プロピレングリコール又はグリセロールなどのポリオール、糖又は糖アルコール、乳酸、可逆的プロテアーゼ阻害剤、ホウ酸又はホウ酸誘導体、例えば、芳香族ホウ酸エステル、若しくは４−ホルミルフェニルボロン酸などのフェニルボロン酸誘導体が挙げられる。本組成物は、プロピレングリコール又はグリセロールなどのポリオール、糖又は糖アルコールから好ましくは選択される無ホウ酸酵素安定剤を含むことが好ましい場合がある。本組成物は、ホウ素を実質的に含まないことが更に好ましい場合がある。実質的に含まないとは通常、「意図的に添加されたものを含まない」ことを意味する。ホウ素を含まないとはまた、通常、ホウ砂などのホウ素の供給源を含まないことも含有する。
【０１２９】
カルシウム及びマグネシウムカチオン。好ましくは本組成物は、少なくとも０．２重量％〜５重量％のカルシウム及び／又はマグネシウムカチオンを含む。
【０１３０】
視覚信号伝達成分。好適な視覚信号伝達成分には、任意の反射及び／又は屈折材料が含まれ、好ましくは雲母が含まれる。
【０１３１】
消泡剤。本明細書の洗浄剤組成物としては、シリコーン消泡剤化合物；シリコーン油及び疎水性粒子の消泡剤化合物；並びにこれらの混合物から選択される約０．００ｌ重量％〜約４．０重量％の消泡剤が挙げられる。一実施形態において、本明細書の組成物は、約０．０１重量％〜約２．０重量％、あるいは０．０５重量％〜約１．０重量％のシリコーン消泡剤（いかなる担体も含まない有効量によるパーセンテージ）を含む。
【０１３２】
一実施形態では、消泡剤は、シリコーン樹脂及び改質シリカと結合したアリール又はアルキルアリール置換基を有するオルガノ修飾シリコーンポリマー；Ｍ／Ｑ樹脂；並びにこれらの混合物から選択される。
【０１３３】
脂肪酸。本組成物は、０重量％〜１０重量％、好ましくは０重量％〜５重量％、好ましくは０．１重量％〜５重量％、好ましくは０．５重量％〜３重量％の、飽和又は不飽和脂肪酸、好ましくは飽和又は不飽和のＣ１２〜Ｃ２４脂肪酸を含み、極めて好ましくは、飽和Ｃ１２〜Ｃ１８脂肪酸を含む。
【０１３４】
構造化剤／増粘剤。構造化液体は、それにより一次成分（例えば界面活性剤物質）によって構造が形成されるように内部的に構造化され得、並びに／又は二次成分（例えばポリマー、粘土及び／又はケイ酸塩物質）を使用する３次元マトリクス構造を提供することによって外部的に構造化され得る。
【０１３５】
本組成物は、構造化剤を含んでいてよく、好ましくは、０．０１重量％〜５重量％、０．１重量％〜２．０重量％の構造化剤を含んでもよい。構造化剤は通常、ジグリセリド及びトリグリセリド、エチレングリコールジステアレート、微結晶セルロース、セルロース系材料、マイクロファイバーセルロース、バイオポリマー、キサンタンガム、ジェランガム、及びこれらの混合物からなる群から選択される。好適な構造化剤としては、水添ヒマシ油、及びその非エトキシル化誘導体が含まれる。本組成物はリパーゼを実質的に含まないことが好ましい場合があり、実質的に含まないとは通常、「意図的に添加されたものを含まない」ことを意味する。組成物が水添ヒマシ油及びその非エトキシル化誘導体を含むとき、これは特に好ましい。
【０１３６】
エチレングリコールジステアレートは、視覚信号伝達成分としてもまた使用できる。
【０１３７】
溶媒。本組成物は、好ましくは溶媒を含む。好ましい溶媒としては、アルコール及び／又はグリコール、好ましくはメタノール、エタノール及び／又はプロピレングリコールが挙げられる。好ましくは、本組成物は、酵素安定性の改善のために、メタノール及びエタノールをまったく含まないか、若しくは最小限の量しか含まず、代わりに、比較的多量のプロピレングリコールを含む。好ましくは、本組成物は、プロピレングリコールを含む。
【０１３８】
好適な溶媒としては、Ｃ４〜Ｃ１４のエーテル及びジエーテル、グリコール、アルコキシル化グリコール、Ｃ６〜Ｃ１６グリコールエーテル、アルコキシル化芳香族アルコール、芳香族アルコール、脂肪族分枝状アルコール、アルコキシル化脂肪族分枝状アルコール、アルコキシル化直鎖Ｃ１〜Ｃ５アルコール、直鎖Ｃ１〜Ｃ５アルコール、アミン、Ｃ８〜Ｃ１４アルキル及びシクロアルキル炭化水素及びハロ炭化水素、並びにこれらの混合物が挙げられる。
【０１３９】
好ましい溶媒は、メトキシオクタデカノール、２−（２−エトキシエトキシ）エタノール、ベンジルアルコール、２−エチルブタノール及び／又は２−メチルブタノール、１−メチルプロポキシエタノール及び／又は２−メチルブトキシエタノール、直鎖Ｃ１〜Ｃ５アルコール（メタノール、エタノール、プロパノール、ブチルジグリコールエーテル（ＢＤＧＥ）、ブチルトリグリコールエーテル、三級アミルアルコール、グリセロール、イソプロパノールなど）、並びにこれらの混合物から選択される。本明細書で使用可能な特に好ましい溶媒は、ブトキシプロポキシプロパノール、ブチルジグリコールエーテル、ベンジルアルコール、ブトキシプロパノール、プロピレングリコール、グリセロール、エタノール、メタノール、イソプロパノール、及びこれらの混合物である。他の好適な溶媒としては、プロピレングリコール及びジエチレングリコール、並びにこれらの混合物が挙げられる。
【０１４０】
電解強度。脱イオン水中ｌｇ／Ｌの濃度で、かつｍＳｃｍ−１中温度２５℃での本組成物の電解強度は、好ましくは２００ｍＳｃｍ−１未満、より好ましくは１５０ｍＳｃｍ−１未満、更により好ましくは１００ｍＳｃｍ−１未満、及び７５ｍＳｃｍ−１未満、又は５０ｍＳｃｍ−１未満である。電解強度は、導電率計など任意の好適な手段によっても測定されることができる。
【０１４１】
緩衝剤。本組成物は通常、緩衝剤を含む。好ましい緩衝剤としては、モノエタノールアミン（ＭＥＡ）及びトリエタノールアミン（ＴＥＡ）が挙げられる。好ましくは本組成物はホウ砂を実質的に含まないが、ホウ砂は緩衝剤として用いられることが可能であり、実質的に含まないとは通常、意図的に添加されたホウ砂は本組成物中に組み込まれないことを意味する。
【０１４２】
アルカノールアンモニウムカチオン。好ましくは本組成物は、アルカノールアンモニウムカチオン、好ましくはモノエタノールアミン（ＭＥＡ）及び／又はトリエタノールアミン（ＴＥＡ）を含む。
【０１４３】
ヒドロトロープ。本組成物は、ヒドロトロープを含んでよい。好ましいヒドロトロープは、モノプロピレングリコールである。
【０１４４】
カプセル化剤
組成物は、カプセル化剤を含み得る。一態様では、カプセル化剤は、コアと、内面及び外面を有するシェルと、を含み、シェルはコアをカプセル化する。
【０１４５】
カプセル化剤の一態様では、コアは、香料；増白剤；染料；防虫剤；シリコーン；ワックス；香味料；ビタミン；布地用柔軟剤；スキンケア剤、一態様ではパラフィン；酵素；抗菌剤；漂白剤；感覚剤；及びこれらの混合物からなる群から選択される材料を含むことができ、シェルは、ポリエチレン；ポリアミド；所望により他のコモノマーを含む、ポリビニルアルコール；ポリスチレン；ポリイソプレン；ポリカーボネート；ポリエステル；ポリアクリレート；アミノプラスト、一態様では、アミノプラストは、ポリ尿素、ポリウレタン、及び／又はポリ尿素ウレタンを含むことができ、一態様では、ポリ尿素は、ポリオキシメチレン尿素及び／又はメラミンホルムアルデヒドを含むことができ；ポリオレフィン；多糖、一態様では、多糖は、アルギン酸塩及び／又はキトサンを含むことができ；ゼラチン；シェラック；エポキシ樹脂；ビニルポリマー；水不溶性無機物；シリコーン；並びにこれらの混合物からなる群から選択される材料を含み得る。
【０１４６】
カプセル剤の一態様では、コアは、香料を含み得る。
【０１４７】
カプセル剤の一態様では、シェルは、メラミンホルムアルデヒド及び／又は架橋メラミンホルムアルデヒドを含み得る。
【０１４８】
一態様では、好適なカプセル化剤はコア材料及びシェルを含むことができ、シェルが少なくとも部分的にコア材料を包囲するカプセル剤が開示される。少なくとも７５％、８５％、又は更には９０％のカプセル化剤は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度と；０％〜約３０％、０％〜約２０％、又は更には０％〜約５％の有益剤漏出率と；を有し得る。
【０１４９】
一態様では、カプセル化剤の少なくとも７５％、８５％、又は更には９０％は、約１マイクロメートル〜約８０マイクロメートル、約５マイクロメートル〜６０マイクロメートル、約１０マイクロメートル〜約５０マイクロメートル、又は約１５マイクロメートル〜約４０マイクロメートルの粒径を有してもよい。
【０１５０】
一態様では、カプセル化剤の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁厚を有し得る。
【０１５１】
一態様では、カプセル化剤のコア材料は、香料原材料からなる群から選択される材料、及び／又は任意で、ヒマシ油、ココナッツ油、綿実油、菜種油、大豆油、トウモロコシ油、ヤシ油、亜麻仁油、ベニバナ油、オリーブ油、ピーナッツ油、ココナッツ油、パーム核油、ヒマシ油、レモン油及びこれらの混合物を含むストレート及び／又はブレンド植物油を含む植物油；アジピン酸ジブチル、フタル酸ジブチル、アジピン酸ブチルベンジル、アジピン酸ベンジルオクチル、リン酸トリクレジル、リン酸トリオクチル及びこれらの混合物を含む、植物油のエステル；約８０℃を超える沸点を有する直鎖又は分枝鎖炭化水素を含む、直鎖又は分枝鎖炭化水素；部分的に水素化したテルフェニル、フタル酸ジアルキル、モノイソプロピルビフェニルを含むアルキルジフェニル、ジプロピルナフタレンを含むアルキル化ナフタレン、灯油、鉱油及びこれらの混合物を含む石油スピリット；ベンゼン、トルエン及びこれらの混合物を含む、芳香族溶媒；シリコーン油；並びにこれらの混合物からなる群から選択される材料を含み得る。
【０１５２】
一態様では、カプセル化剤の壁材料は、アルデヒドとアミンの反応生成物などの適切な樹脂を含んでもよく、適切なアルデヒドとしてはホルムアルデヒドが挙げられる。好適なアミンとしては、メラミン、尿素、ベンゾグアナミン、グリコールウリル、及びこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【０１５３】
一態様では、好適なホルムアルデヒド捕捉剤は、カプセル化剤と共に、例えばカプセルスラリ中で使用してもよく、及び／又は、カプセル化剤を消費者製品に加える前に、加えるときに、若しくは加えた後に、消費者製品に加えられてもよい。
【０１５４】
好適なカプセル剤は、Ａｐｐｌｅｔｏｎ  Ｐａｐｅｒｓ  Ｉｎｃ．（Ａｐｐｌｅｔｏｎ，Ｗｉｓｃｏｎｓｉｎ，ＵＳＡ）から購入できる。
【０１５５】
加えて、上述のカプセル化剤を作製するための材料は、Ｓｏｌｕｔｉａ  Ｉｎｃ．（Ｓｔ．Ｌｏｕｉｓ，Ｍｉｓｓｏｕｒｉ，Ｕ．Ｓ．Ａ．）、Ｃｙｔｅｃ  Ｉｎｄｕｓｔｒｉｅｓ（Ｗｅｓｔ  Ｐａｔｅｒｓｏｎ，Ｎｅｗ  Ｊｅｒｓｅｙ，Ｕ．Ｓ．Ａ．）、Ｓｉｇｍａ−Ａｌｄｒｉｃｈ（Ｓｔ．Ｌｏｕｉｓ，Ｍｉｓｓｏｕｒｉ，Ｕ．Ｓ．Ａ．）、ＣＰ  Ｋｅｌｃｏ  Ｃｏｒｐ．（Ｓａｎ  Ｄｉｅｇｏ，Ｃａｌｉｆｏｒｎｉａ，ＵＳＡ）；ＢＡＳＦ  ＡＧ（Ｌｕｄｗｉｇｓｃｈａｅｆｅｎ，Ｇｅｒｍａｎｙ）；Ｒｈｏｄｉａ  Ｃｏｒｐ．（Ｃｒａｎｂｕｒｙ，Ｎｅｗ  Ｊｅｒｓｅｙ，ＵＳＡ）；Ｈｅｒｃｕｌｅｓ  Ｃｏｒｐ．（Ｗｉｌｍｉｎｇｔｏｎ，Ｄｅｌａｗａｒｅ，ＵＳＡ）；Ａｇｒｉｕｍ  Ｉｎｃ．（Ｃａｌｇａｒｙ，Ａｌｂｅｒｔａ，Ｃａｎａｄａ）、ＩＳＰ（Ｎｅｗ  Ｊｅｒｓｅｙ，Ｕ．Ｓ．Ａ．）、Ａｋｚｏ  Ｎｏｂｅｌ（Ｃｈｉｃａｇｏ，ＩＬ，ＵＳＡ）；Ｓｔｒｏｅｖｅｒ  Ｓｈｅｌｌａｃ  Ｂｒｅｍｅｎ（Ｂｒｅｍｅｎ，Ｇｅｒｍａｎｙ）；Ｄｏｗ  Ｃｈｅｍｉｃａｌ  Ｃｏｍｐａｎｙ（Ｍｉｄｌａｎｄ，ＭＩ，ＵＳＡ）；Ｂａｙｅｒ  ＡＧ（Ｌｅｖｅｒｋｕｓｅｎ，Ｇｅｒｍａｎｙ）；Ｓｉｇｍａ−Ａｌｄｒｉｃｈ  Ｃｏｒｐ．（Ｓｔ．Ｌｏｕｉｓ，Ｍｉｓｓｏｕｒｉ，ＵＳＡ）；から入手することができる。
【０１５６】
香料−一態様では、本組成物は、１，１’−オキシビス−２−プロパノール；１，４−シクロヘキサンジカルボン酸、ジエチルエステル；（エトキシメトキシ）シクロドデカン；１，３−ノナンジオール、モノアセテート；（３−メチルブトキシ）酢酸、２−プロペニルエステル；β−メチル−シクロドデカンエタノール；２−メチル−３−［（１，７，７−トリメチルビシクロ［２．２．１］ヘプタ−２−イル）オキシ］−１−プロパノール；オキサシクロヘキサデカン−２−オン；α−メチル−ベンゼンメタノールアセテート；トランス−３−エトキシ−１，１，５−トリメチルシクロヘキサン；４−（１，１−ジメチルエチル）シクロヘキサノールアセテート；ドデカヒドロ−３ａ，６，６，９ａ−テトラメチルナフト［２，１−ｂ］−フラン；β−メチル−ベンゼンプロパナール；β−メチル−３−（１−メチルエチル）−ベンゼンプロパナール；４−フェニル−２−ブタノン；２−メチルブタン酸、エチルエステル；ベンズアルデヒド；２−メチルブタン酸、１−メチルエチルエステル；ジヒドロ−５−ペンチル−２（３Ｈ）フラノン；（２Ｅ）−１−（２，６，６−トリメチル−２−シクロヘキセン−１−イル）−２−ブテン−１−オン；ドデカナール；ウンデカナール；デカナール；２−（フェニルメチレン）オクタナール；２−［［３−［４−（１，１−ジメチルエチル）フェニル］−２−メチルプロピリデン］アミノ］安息香酸、メチルエステル；１−（２，６，６−トリメチル−３−シクロヘキセン−１−イル）−２−ブテン−１−オン；２−ペンチルシクロペンタノン；３−オキソ−２−ペンチルシクロペンタン酢酸、メチルエステル；４−ヒドロキシ−３−メトキシベンズアルデヒド；３−エトキシ−４−ヒドロキシベンズアルデヒド；２−ヘプチルシクロペンタノン；１−（４−メチルフェニル）エタノン；（３Ｅ）−４−（２，６，６−トリメチル−１−シクロヘキセン−１−イル）−３−ブテン−２−オン；（３Ｅ）−４−（２，６，６−トリメチル−２−シクロヘキセン−１−イル）−３−ブテン−２−オン；ベンゼンエタノール；２Ｈ−１−ベンゾピラン−２−オン；４−メトキシベンズアルデヒド；１０−ウンデセナール；プロパン酸、フェニルメチルエステル；β−メチルベンゼンペンタノール；１，１−ジエトキシ−３，７−ジメチル−２，６−オクタジエン；（２Ｅ）−１−（２，６，６−トリメチル−１−シクロヘキセン−１−イル）−２−ブテン−１−オン；酢酸、フェニルメチルエステル；シクロヘキサンプロパン酸、２−プロペニルエステル；ヘキサン酸、２−プロペニルエステル；１，２−ジメトキシ−４−（２−プロペニル）ベンゼン；１，５−ジメチル−ビシクロ［３．２．１］オクタン−８−オンオキシム；４−（４−ヒドロキシ−４−メチルペンチル）−３−シクロヘキセン−カルボキシアルデヒド；３−ブテン−２−オール；２−［［［２，４（又は３，５）−ジメチル−３−シクロヘキセン−１−イル］メチレン］アミノ］安息香酸、メチルエステル；８−シクロヘキサデセン−１−オン；メチルイオノン；２，６−ジメチル−７−オクテン−２−オール；２−メトキシ−４−（２−プロペニル）フェノール；（２Ｅ）−３，７−ジメチル−２，６−オクタジエン−��−オール；２−ヒドロキシ−安息香酸、（３Ｚ）−３−ヘキセニルエステル；２−トリデセンニトリル；４−（２，２−ジメチル−６−メチレンシクロヘキシレン）−３−メチル−３−ブテン−２−オン；テトラヒドロ−４−メチル−２−（２−メチル−１−プロペニル）−２Ｈ−ピラン；酢酸、（２−メチルブトキシ）−、２−プロペニルエステル；安息香酸、２−ヒドロキシ−、３−メチルブチルエステル；２−ブテン−１−オン、１−（２，６，６−トリメチル−１−シクロヘキセン−１−イル）−、（Ｚ）−；シクロペンタンカルボン酸、２−ヘキシル−３−オキソ−、メチルエステル；ベンゼンプロパナール、４−エチル−α，α−ジメチル−；３−シクロヘキセン−１−カルボキシアルデヒド、３−（４−ヒドロキシ−４−メチルペンチル）−；エタノン、１−（２，３，４，７，８，８ａ−ヘキサヒドロ−３，６，８，８−テトラメチル−１Ｈ−３ａ，７−メタノアズレン−５−イル）−、［３Ｒ−（３α、３ａβ、７β、８ａα）］−；ウンデカナール、２−メチル−２Ｈ−ピラン−２−オン、６−ブチルテトラヒドロ−；ベンゼンプロパナール、４−（１，１−ジメチルエチル）−α−メチル−；２（３Ｈ）−フラノン、５−ヘプチルジヒドロ−；安息香酸、２−［（７−ヒドロキシ−３，７−ジメチルオクチリデン）アミノ］−、メチル；安息香酸、２−ヒドロキシ−、フェニルメチルエステル；ナフタレン、２−メトキシ−；２−シクロペンテン−１−オン、２−ヘキシル−；２（３Ｈ）−フラノン、５−ヘキシルジヒドロ−；オキシランカルボン酸、３−メチル−３−フェニル−、エチルエステル；２−オキサビシクロ［２．２．２］オクタン、１，３，３−トリメチル−；ベンゼンペンタノール、γ−メチル−；３−オクタノール、３，７−ジメチル−；３，７−ジメチル−２，６−オクタジエンニトリル；３，７−ジメチル−６−オクテン−１−オール；テルピネオールアセテート；２−メチル−６−メチレン−７−オクテン−２−オール、ジヒドロ誘導体；３ａ，４，５，６，７，７ａ−ヘキサヒドロ−４，７−メタノ−１Ｈ−インデン−６−オールプロパノアート；３−メチル−２−ブテン−１−オールアセテート；（Ｚ）−３−ヘキセン−１−オールアセテート；２−エチル−４−（２，２，３−トリメチル−３−シクロペンテン−１−イル）−２−ブテン−１−オール；４−（オクタヒドロ−４，７−メタノ−５Ｈ−インデン−５−イリデン）−ブタナール；３−２，４−ジメチル−シクロヘキセン−１−カルボキシアルデヒド；１−（１，２，３，４，５，６，７，８−オクタヒドロ−２，３，８，８−テトラメチル−２−ナフタレニル）−エタノン；２−ヒドロキシ−安息香酸、メチルエステル；２−ヒドロキシ−安息香酸、ヘキシルエステル；２−フェノキシ−エタノール；２−ヒドロキシ−安息香酸、ペンチルエステル；２，３−ヘプタンジオン；２−ヘキセン−１−オール；６−オクテン−２−オール、２，６−ジメチル−；ダマスコーン（α、β、γ若しくはδ、又はこれらの混合物）、４，７−メタノ−１Ｈ−インデン−６−オール、３ａ，４，５，６，７，７ａ−ヘキサヒドロ−、アセテート；９−ウンデセナール；８−ウンデセナール；イソシクロシトラール；エタノン、１−（１��２，３，４，５，６，７，８−オクタヒドロ−２，３，８，８−テトラメチル−２−ナフタレニル）−；３−シクロヘキセン−１−カルボキシアルデヒド、３，５−ジメチル−；３−シクロヘキセン−１−カルボキシアルデヒド、２，４−ジメチル−；１，６−オクタジエン−３−オール、３，７−ジメチル−；１，６−オクタジエン−３−オール、３，７−ジメチル−、アセテート；リリアール（ｐ−ｔ−ブシナール）、及びシクロペンタノン、２−［２−（４−メチル−３−シクロヘキセン−１−イル）プロピル］、及び１−メチル−４−（１−メチルエテニル）シクロヘキセン、並びにこれらの混合物からなる群から選択される１つ以上の香料原材料を含む、香料を含む。
【０１５７】
一態様では、本組成物は、水溶性ヒドロキシ化合物、又はメラミン−ホルムアルデヒド、又は変性ポリビニルアルコールのいずれかを含む、カプセル化された香料粒子を含んでよい。一態様では、カプセル化剤は、（ａ）１つ以上の水溶性ヒドロキシ化合物、好ましくはデンプンを含む、少なくとも部分的に水溶性の固体マトリクスと、（ｂ）固体マトリクスによりカプセル化された香油と、を含む。
【０１５８】
更なる態様では、香料は、ポリアミン、好ましくはポリエチレンイミンとあらかじめ複合化させて、その結果シッフ塩基を形成させてもよい。
【０１５９】
水溶性フィルム−本発明の組成物はまた、水溶性フィルム内にカプセル化されてもよい。好ましいフィルム材料は、好ましくはポリマー材料である。フィルム材料は、当該技術分野において既知のとおり、例えばポリマー材料の注型成形、吹込成形、押出成形、又は吹込押出成形により得ることができる。
【０１６０】
衛生及び消臭−本発明の組成物はまた、リシノール酸亜鉛、チモール、Ｂａｒｄａｃ（登録商標）などの四級アンモニウム塩、ポリエチレンイミン（ＢＡＳＦ製Ｌｕｐａｓｏｌ（登録商標）など）、及びこれらの亜鉛錯体、銀及び銀化合物、特に、Ａｇ＋又はナノ銀分散体をゆっくり放出するように設計されているもの、のうちの１つ以上を含んでよい。
【０１６１】
プロバイオティクス−本組成物は、プロバイオティクスを含んでよい。
【０１６２】
布地柔軟化剤：本組成物は、あるいは、すすぎ時添加型布地柔軟化／処理剤であり得る。
【０１６３】
１．好ましい布地柔軟化活性化合物
第１の好ましい種類の布地柔軟化活性物質は、主な活性物質として、次式の化合物を含む：
｛Ｒ４−ｍ−Ｎ＋−［（ＣＨ２）ｎ−Ｙ−Ｒ１］ｍ｝Ｘ−          （１）
式中、各Ｒ置換基は、水素、短鎖Ｃ１〜Ｃ６、好ましくはＣ１〜Ｃ３アルキル又はヒドロキシアルキル基、例えば、メチル、エチル、プロピル、ヒドロキシエチルなど、ポリ（Ｃ２〜３アルコキシ）、好ましくはポリエトキシ、ベンジル又はこれらの混合物であり；各ｍは、２又は３であり；各ｎは、１〜約４、好ましくは２であり；各Ｙは、−Ｏ−（Ｏ）Ｃ−、−Ｃ（Ｏ）−Ｏ−、−ＮＲ−Ｃ（Ｏ）−、又は−Ｃ（Ｏ）−ＮＲ−であり；各Ｒ１が、ヒドロカルビル又は置換ヒドロカルビル基であって、各Ｒ１の炭素の合計はＣ１２〜Ｃ２２、好ましくはＣ１４〜Ｃ２０であり、Ｙが−Ｏ−（Ｏ）Ｃ−、又は−ＮＲ−Ｃ（Ｏ）−の場合はプラス１であり、Ｘ−は任意の柔軟剤適合性アニオンであり、好ましくはクロライド、ブロミド、メチルサルフェート、エチルサルフェート、サルフェート及びニトレート、より好ましくはクロライド又はメチルサルフェートである。
【０１６４】
第２の種類の好ましい布地柔軟化活性物質は、次の一般式を有する：
［Ｒ３Ｎ＋ＣＨ２ＣＨ（ＹＲ１）（ＣＨ２ＹＲ１）］Ｘ−
式中、各Ｙ、Ｒ、Ｒ１、及びＸ−は、上記と同じ意味を有する。このような化合物には、次式を有するものが挙げられ：
［ＣＨ３］３Ｎ（＋）［ＣＨ２ＣＨ（ＣＨ２Ｏ（Ｏ）ＣＲ１）Ｏ（Ｏ）ＣＲ１］Ｃｌ（−）      （２）
式中、各Ｒはメチル又はエチル基であり、好ましくは各Ｒ１は、Ｃ１５〜Ｃ１９の範囲である。本明細書で使用する場合、ジエステルが明記される場合、それにはモノエステルが存在していることを含み得る。
【０１６５】
好ましいＤＥＱＡ（２）の一例は、式１，２−ジ（アシルオキシ）−３−トリメチルアンモニオプロパンクロライドを有する「プロピル」エステル四級アンモニウム布地柔軟剤活性物質である。
【０１６６】
第３の種類の好ましい布地柔軟化活性物質は、次式を有する：
［Ｒ４−ｍ−Ｎ＋−Ｒ１ｍ］Ｘ−              （３）
式中、各Ｒ、Ｒ１、及びＸ−は、上記と同じ意味を有する。
【０１６７】
第４の種類の好ましい布地柔軟化活性物質は、次式を有する：
【０１６８】
【化１６】
0006453361.tif 000017
式中、各Ｒ、Ｒ１及びＡ−は上記で与えられた定義を有し；各Ｒ２は、Ｃ１〜６アルキレン基、好ましくはエチレン基であり；Ｇは、酸素原子又は−ＮＲ−基である。
【０１６９】
第５の種類の好ましい布地柔軟化活性物質は、次式を有する：
【０１７０】
【化１７】
0006453361.tif 000018
式中、Ｒ１、Ｒ２及びＧは、上記のように定義される。
【０１７１】
第６の種類の好ましい布地柔軟化活性物質は、脂肪酸とジアルキレントリアミンとの、例えば分子量比約２：１の縮合反応生成物を含んでもよく、反応生成物は次式の化合物を含有する：
Ｒ１−Ｃ（Ｏ）−ＮＨ−Ｒ２−ＮＨ−Ｒ３−ＮＨ−Ｃ（Ｏ）−Ｒ１        （６）
式中、Ｒ１、Ｒ２は上記のように定義され、各Ｒ３はＣ１〜６アルキレン基、好ましくはエチレン基であり、反応生成物は所望によりジメチルサルフェートなどのアルキル化剤の添加によって四級化されてもよい。
【０１７２】
第７の種類の好ましい布地柔軟化活性物質は、次式を有する：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−        （７）
式中、Ｒ、Ｒ１、Ｒ２、Ｒ３及びＡ−は、上記のように定義される。
【０１７３】
第８の種類の好ましい布地柔軟化活性物質は、脂肪酸とヒドロキシアルキルアルキレンジアミンとの分子量比約２：１の反応生成物であり、この反応生成物は次式の化合物を含有する：
Ｒ１−Ｃ（Ｏ）−ＮＨ−Ｒ２−Ｎ（Ｒ３ＯＨ）−Ｃ（Ｏ）−Ｒ１        （８）
式中、Ｒ１、Ｒ２、及びＲ３は、上記のように定義される。
【０１７４】
第９の種類の好ましい布地柔軟化活性物質は、次式を有する：
【０１７５】
【化１８】
0006453361.tif 000019
式中、Ｒ、Ｒ１、Ｒ２、及びＡ−は、上記のように定義される。
【０１７６】
化合物（１）の非限定的な例は、Ｎ，Ｎ−ビス（ステアロイル−オキシ−エチル）Ｎ，Ｎ−ジメチルアンモニウムクロライド、Ｎ，Ｎ−ビス（タローイル−オキシ−エチル）Ｎ，Ｎジメチルアンモニウムクロライド、Ｎ，Ｎ−ビス（ステアロイル−オキシ−エチル）Ｎ−（２ヒドロキシエチル）Ｎ−メチルアンモニウムメチルサルフェートである。
【０１７７】
化合物（２）に非限定的な例は、１，２ジ（ステアロイル−オキシ）３トリメチルアンモニウムプロパンクロライドである。
【０１７８】
化合物（３）の非限定的な例は、ジカノーラジメチルアンモニウムクロライド、ジ（ハード）タロージメチルアンモニウムクロライドジカノーラジメチルアンモニウムメチルサルフェートなどの、ジアルキレンジメチルアンモニウム塩である。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチルアンモニウムクロライド、及びＡｋｚｏ  Ｎｏｂｅｌ  Ａｒｑｕａｄ  ２ＨＴ７５から入手可能なジハードタロージメチルアンモニウムクロライドである。
【０１７９】
化合物（４）の非限定的な例は、１−メチル−１−ステアロイルアミドエチル−２−ステアロイルイミダゾリニウムメチルサルフェートであって、式中、Ｒ１は非環式脂肪族Ｃ１５〜Ｃ１７炭化水素基であり、Ｒ２はエチレン基であり、ＧはＮＨ基であり、Ｒ５はメチル基であり、Ａ−はメチルサルフェートアニオンであり、Ｗｉｔｃｏ  Ｃｏｒｐｏｒａｔｉｏｎより商品名Ｖａｒｉｓｏｆｔ（登録商標）として市販されている。
【０１８０】
化合物（５）の非限定的な例は、１−タローイルアミドエチル−２−タローイルイミダゾリンであって、式中、Ｒ１は非環式脂肪族Ｃ１５〜Ｃ１７炭化水素基であり、Ｒ２はエチレン基であり、ＧはＮＨ基である。
【０１８１】
化合物（６）の非限定的な例は、脂肪酸とジエチレントリアミンとのモル比約２：１での反応生成物であり、この反応生成物の混合物は次式のＮ，Ｎ”−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源から由来する市販の脂肪酸のアルキル基であり、Ｒ２及びＲ３は二価のエチレン基である。
【０１８２】
化合物（７）の非限定例は、次式を有するジ脂肪アミドアミン系柔軟仕上げ剤である：
［Ｒ１−Ｃ（Ｏ）−ＮＨ−ＣＨ２ＣＨ２−ＮＨ−ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
式中、Ｒ１−Ｃ（Ｏ）は、Ｗｉｔｃｏ  Ｃｏｒｐｏｒａｔｉｏｎから、例えば商品名Ｖａｒｉｓｏｆｔ（登録商標）２２２ＬＴとして市販されているアルキル基である。
【０１８３】
化合物（８）の例は、脂肪酸とＮ−２−ヒドロキシエチルエチレンジアミンとのモル比約２：１での反応生成物であり、この反応生成物の混合物は次式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物供給源に由来する市販の脂肪酸のアルキル基である。
【０１８４】
化合物（９）の例は、次式を有するジ四級化合物である：
【０１８５】
【化１９】
0006453361.tif 000020
式中、Ｒ１は脂肪酸から得られ、化合物はＷｉｔｃｏ  Ｃｏｍｐａｎｙから入手可能である。
【０１８６】
上述の柔軟剤活性物質の組み合わせが、本発明で使用するのに好適であると理解されるであろう。
【０１８７】
アニオンＡ
本明細書のカチオン性窒素系塩において、アニオンＡ−は、柔軟剤適合性の任意のアニオンであり、電気的中性をもたらす。ほとんどの場合、これらの塩において電気的中性を与えるために使用されるアニオンは、強酸由来のものであり、特に、塩化物、臭化物、又はヨウ化物などのハロゲン化物由来のものである。しかし、硫酸メチル、硫酸エチル、酢酸、ギ酸、硫酸、炭酸など、他のアニオンを使用してもよい。塩化物及び硫酸メチルが、本明細書でアニオンＡとして好ましい。また、アニオンは、好ましさは幾分劣るが、Ａ−が基の半分を表す場合には、二重荷電を送達することができる。
【０１８８】
シリコーン−追加のシリコーンを使用してもよい。好適なシリコーンは、Ｓｉ−Ｏ部分を含み、（ａ）非官能化シロキサンポリマー、（ｂ）官能化シロキサンポリマー、及びこれらの組み合わせから選択され得る。有機シリコーンの分子量は、通常、材料の粘度を参照することにより示される。一態様では、有機シリコーンは、２５℃で約１０〜約２，０００，０００ｍｍ２／ｓ（約１０〜約２，０００，０００センチストークス）の粘度を含むことができる。別の態様では、好適な有機シリコーンは、２５℃で約１０〜約８００，０００ｍｍ２／ｓ（約１０〜約８００，０００センチストークス）の粘度を有することができる。
【０１８９】
好適な有機シリコーンは、直鎖状であっても、分枝状であっても、又は架橋されていてもよい。一態様において、有機シリコーンはシリコーン樹脂を含むことができる。シリコーン樹脂は、高度に架橋されたポリマーシロキサン系である。架橋は、シリコーン樹脂の生成中に三官能性及び四官能性シランを、一官能性又は二官能性又はこれら両方のシランと結合することによって導入される。本明細書で使用するとき、専門用語ＳｉＯ「ｎ」／２は、酸素原子とケイ素原子との比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されていることを意味する。
【０１９０】
特に、シリコーン材料及びシリコーン樹脂は、「ＭＤＴＱ」命名法として当業者に既知の省略命名法のシステムによって便利に同定することができる。このシステムでは、シリコーンは、シリコーンを構成する様々なシロキサンモノマー単位の存在に従って記載される。簡単に説明すると、記号Ｍは、一官能性単位（ＣＨ３）３ＳｉＯ０．５を意味し；Ｄは、二官能性単位（ＣＨ３）２ＳｉＯを意味し；Ｔは、三官能性単位（ＣＨ３）ＳｉＯ１．５を意味し；Ｑは、四官能性単位ＳｉＯ２を意味する。単位記号のプライム符号（例えば、Ｍ’、Ｄ’、Ｔ’及びＱ’）は、メチル以外の置換基を示し、出現の度に具体的に定義されなければならない。
【０１９１】
他の変性シリコーン又はシリコーンコポリマーもまた、本明細書において有用である。このような例には、シリコーン系四級アンモニウム化合物（ケナン四級化合物）；末端四級シロキサン；シリコーンアミノポリアルキレンオキシドブロックコポリマー；親水性シリコーンエマルション；１つ以上の架橋した熊手又は櫛型シリコーンコポリマーセグメントから構成されるポリマー；が挙げられる。
【０１９２】
一態様では、有機シリコーンは、以下の式（ＸＸＩＶ）を有し得る非官能化シロキサンポリマーを含んでもよく、ポリアルキル及び／若しくはフェニルシリコーン流体、樹脂並びに／又はゴムを含んでもよい。
［Ｒ１Ｒ２Ｒ３ＳｉＯ１／２］ｎ［Ｒ４Ｒ４ＳｉＯ２／２］ｍ［Ｒ４ＳｉＯ３／２］ｊ
式（ＸＸＩＶ）
式中、
ｉ）各Ｒ１、Ｒ２、Ｒ３及びＲ４は、Ｈ、−ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシ部分からなる群からそれぞれ独立して選択されてもよく；
ｉｉ）ｎは、ｎ＝ｊ＋２となるように、約２〜約１０、若しくは約２〜約６の整数、又は２であってもよく；
ｉｉｉ）ｍが、約５〜約８，０００、約７〜約８，０００又は約１５〜約４，０００の整数であってもよく；
ｉｖ）ｊは、０〜約１０の整数、又は０〜約４の整数、又は０であってもよい。
【０１９３】
一態様では、Ｒ２、Ｒ３及びＲ４は、メチル、エチル、プロピル、Ｃ４〜Ｃ２０アルキル及び／又はＣ６〜Ｃ２０アリール部分を含むことができる。一態様では、Ｒ２、Ｒ３及びＲ４のそれぞれは、メチルであり得る。シリコーン鎖の末端をブロックするそれぞれのＲ１部分は、水素、メチル、メトキシ、エトキシ、ヒドロキシ、プロポキシ、及び／又はアリールオキシからなる群から選択される部分を含み得る。
【０１９４】
一態様では、有機シリコーンは、ポリジメチルシロキサン、ジメチコン、ジメチコノール、ジメチコン架橋ポリマー、フェニルトリメチコン、アルキルジメチコン、ラウリルジメチコン、ステアリルジメチコン、及びフェニルジメチコンであってもよい。例としては、Ｄｏｗ  Ｃｏｒｎｉｎｇ（登録商標）Ｃｏｒｐｏｒａｔｉｏｎ（Ｍｉｄｌａｎｄ，ＭＩ）から入手可能な、ＤＣ  ２００  Ｆｌｕｉｄ、ＤＣ  １６６４、ＤＣ  ３４９、ＤＣ  ３４６Ｇという名称で入手可能なもの、並びにＭｏｍｅｎｔｉｖｅ  Ｓｉｌｉｃｏｎｅｓ（Ｗａｔｅｒｆｏｒｄ，ＮＹ）から入手可能なＳＦ１２０２、ＳＦ１２０４、ＳＦ９６、及びＶｉｓｃａｓｉｌ（登録商標）という商品名で入手可能なものが挙げられる。
【０１９５】
一態様では、有機シリコーンは環状シリコーンを含んでもよい。環状シリコーンは、式［（ＣＨ３）２ＳｉＯ］ｎのシクロメチコンを含んでもよく、式中、ｎは約３〜約７、又は約５〜約６の範囲であり得る整数である。
【０１９６】
一態様では、有機シリコーンは、官能化シロキサンポリマーを含んでよい。官能化シロキサンポリマーは、アミノ、アミド、アルコキシ、ヒドロキシ、ポリエーテル、カルボキシ、ヒドリド、メルカプト、サルフェート、ホスフェート、及び／又は四級アンモニウム部分からなる群から選択される１つ以上の官能性部分を含んでよい。これらの部分は、二価のアルキレン基を介してシロキサン主鎖に直接結合してもよく（すなわち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、四級ＡＢｎシリコーン、アミノＡＢｎシリコーン、及びこれらの組み合わせからなる群から選択される材料が挙げられる。
【０１９７】
一態様では、官能化シロキサンポリマーは、「ジメチコンコポリオール」とも称される、シリコーンポリエーテルを含み得る。一般に、シリコーンポリエーテルは、１つ以上のポリオキシアルキレン鎖を有するポリジメチルシロキサン主鎖を含む。ポリオキシアルキレン部分は、ペンダント鎖として、又は末端ブロックとしてポリマーに組み込まれ得る。例示的な市販のシリコーンポリエーテルとしては、ＤＣ  １９０、ＤＣ  １９３、ＦＦ４００（いずれも、Ｄｏｗ  Ｃｏｒｎｉｎｇ（登録商標）Ｃｏｒｐｏｒａｔｉｏｎから入手可能）、及び様々なＳｉｌｗｅｔ（登録商標）界面活性剤（Ｍｏｍｅｎｔｉｖｅ  Ｓｉｌｉｃｏｎｅｓから入手可能）が挙げられる。
【０１９８】
別の態様では、官能化シロキサンポリマーは、アミノシリコーンを含んでもよい。別の態様では、アミノシリコーンは、式（ＸＸＶ）の構造を含み得る：
［Ｒ１Ｒ２Ｒ３ＳｉＯ１／２］ｎ［Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式（ＸＸＶ）
式中、
ｉ．各Ｒ１、Ｒ２、Ｒ３及びＲ４は、Ｈ、ＯＨ、Ｃ１〜Ｃ２０アルキル、Ｃ１〜Ｃ２０置換アルキル、Ｃ６〜Ｃ２０アリール、Ｃ６〜Ｃ２０置換アリール、アルキルアリール、及び／又はＣ１〜Ｃ２０アルコキシからなる群からそれぞれ独立して選択されてもよく；
ｉｉ．各Ｘは、２〜１２つの炭素原子を含む二価アルキレン基、−（ＣＨ２）ｓ−（式中、ｓは約２〜約１０の整数であり得る）；−ＣＨ２−ＣＨ（ＯＨ）−ＣＨ２−；及び／又は、
【０１９９】
【化２０】
0006453361.tif 000021
からそれぞれ独立して選択されてもよく、
ｉｉｉ．各Ｚは、−Ｎ（Ｒ５）２；−
【０２００】
【化２１】
0006453361.tif 000022
からそれぞれ独立して選択されてもよく、式中、各Ｒ５は、Ｈ、Ｃ１〜Ｃ２０アルキルからそれぞれ独立して選択されることができ；Ａ−は適合性アニオンであってもよい。一態様では、Ａ−はハロゲン化物であってもよい。
ｉｖ．ｋは、約３〜約２０、又は約５〜約１８超、又は約５〜約１０の整数であってもよく；
ｖ．ｍは、約１００〜約２，０００、又は約１５０〜約１，０００の整数であってもよく；
ｖｉ．ｎは、ｎ＝ｊ＋２になるように、約２〜約１０、若しくは約２〜約６、又は２の整数であってもよく；
ｖｉｉ．ｊは、０〜約１０、又は０〜約４の整数、又は０であってもよい。
【０２０１】
一態様では、Ｒ１は−ＯＨを含んでもよい。この態様では、有機シリコーンはアミドメチコーンである。例示的な市販のアミノシリコーンとしては、Ｄｏｗ  Ｃｏｒｎｉｎｇ（登録商標）Ｃｏｒｐｏｒａｔｉｏｎから入手可能なＤＣ８８２２、２−８１７７、及びＤＣ−９４９、並びにＳｈｉｎ−Ｅｔｓｕ  Ｓｉｌｉｃｏｎｅｓ（Ａｋｒｏｎ，ＯＨ）から入手可能なＫＦ−８７３が挙げられる。
【０２０２】
一態様では、シリコーンは、次式を有するランダム又はブロック有機シリコーンポリマーから選択されてよい：
［Ｒ１Ｒ２Ｒ３ＳｉＯ１／２］（ｊ＋２）［Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
式中、
ｊは、０〜約９８の整数であり；一態様では、ｊは０〜約４８の整数であり；一態様では、ｊは０であり；
ｋは０〜約２００の整数であり、一態様では、ｋは０〜約５０の整数であり；ｋが０のとき、Ｒ１、Ｒ２又はＲ３のうちの少なくとも１つは、−Ｘ−Ｚであり；
ｍは、４〜約５，０００の整数であり；一態様では、ｍは約１０〜約４，０００の整数であり；別の態様では、ｍは約５０〜約２，０００の整数であり；
Ｒ１、Ｒ２及びＲ３が、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ−Ｚからなる群から選択され；
各Ｒ４が、それぞれ独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシからなる群から選択され；
アルキルシロキサンポリマーの各Ｘは、２〜１２つの炭素原子を含む置換又は非置換二価アルキレン基を含み、一態様では、各二価アルキレン基は、−（ＣＨ２）ｓ−からなる群からそれぞれ独立して選択され、式中ｓは約２〜約８、約２〜約４の整数であり；一態様では、アルキルシロキサンポリマーの各Ｘは、−ＣＨ２−ＣＨ（ＯＨ）−ＣＨ２−；−ＣＨ２−ＣＨ２−ＣＨ（ＯＨ）−；及び
【０２０３】
【化２２】
0006453361.tif 000023
からなる群から選択される置換二価アルキレン基を含み；
各Ｚは、
【０２０４】
【化２３】
0006453361.tif 000024
からなる群からそれぞれ独立して選択され；
ただし、Ｚが四級アンモニウム化合物である場合、Ｑはアミド、イミン、又は尿素部分ではあり得ず；
Ｚに関し、Ａｎ−は好適な電荷均衡アニオンである。一態様において、Ａｎ−は、Ｃｌ−、Ｂｒ−、Ｉ−、メチルサルフェート、トルエンスルホネート、カルボキシレート、及びホスフェートからなる群から選択され；有機シリコーンの少なくとも１つのＱは、−ＣＨ２−ＣＨ（ＯＨ）−ＣＨ２−Ｒ５；
【０２０５】
【化２４】
0006453361.tif 000025
からそれぞれ独立して選択され；
有機シリコーンの各追加のＱが、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５；
【０２０６】
【化２５】
0006453361.tif 000026
からなる群からそれぞれ独立して選択され；
式中、各Ｒ５が、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ、及びシロキシル残基からなる群からそれぞれ独立して選択され；
各Ｒ６は、Ｈ、Ｃ１〜Ｃ１８アルキルからそれぞれ独立して選択され；
各Ｌは、−Ｃ（Ｏ）−Ｒ７又はＲ７からそれぞれ独立して選択され；
ｗは０〜約５００の整数であり、一態様では、ｗは約１〜約２００の整数であり；一態様では、ｗは約１〜約５０の整数であり；
各Ｒ７は、Ｈ；Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール；Ｃ６〜Ｃ３２置換アルキルアリール、及びシロキシル残基からなる群からそれぞれ独立して選択され；
各Ｔは、Ｈ、及び
【０２０７】
【化２６】
0006453361.tif 000027
からそれぞれ独立して選択され、
式中、有機シリコーンの各ｖは１〜約１０の整数であり、一態様では、ｖは１〜約５の整数であり、有機シリコーンの各Ｑのすべてのｖ指数の合計は、１〜約３０、又は１〜約２０、又は更には１〜約１０の整数である。
【０２０８】
一態様では、有機シリコーンは、アミンＡＢｎシリコーン、及び四級ＡＢｎシリコーンを含んでもよい。このような有機シリコーンは、一般に、ジアミンとエポキシドとの反応によって生成される。これらは、Ｍａｇｎａｓｏｆｔ（登録商標）Ｐｒｉｍｅ、Ｍａｇｎａｓｏｆｔ（登録商標）ＪＳＳ、Ｓｉｌｓｏｆｔ（登録商標）Ａ−８５８（すべてＭｏｍｅｎｔｉｖｅ  Ｓｉｌｉｃｏｎｅｓ製）の商品名で市販されている。
【０２０９】
付着助剤−一態様では、布地処理組成物は、付着助剤を約０．０１％〜約１０％、約０．０５〜約５％、又は約０．１５〜約３％含んでもよい。
【０２１０】
一態様では、付着助剤は、カチオン性又は両性ポリマーであってよい。一態様では、付着助剤は、カチオン性ポリマーであってもよい。一般にカチオン性ポリマー及びその製造方法は、文献において知られている。一態様では、カチオン性ポリマーは、組成物の意図する用途のｐＨにて、約０．００５〜約２３、約０．０１〜約１２、又は約０．１〜約７ミリ当量／ｇのカチオン電荷密度を有してもよい。アミン含有ポリマーにおいて、電荷密度は組成物のｐＨに依存するが、電荷密度は生成物の目的の用途のｐＨで測定される。そのようなｐＨは、一般的に約２〜約１１、より一般的には約２．５〜約９．５の範囲である。電荷密度は、繰り返し単位当たりの正味の電荷数を、繰り返し単位の分子量で除することにより計算される。正電荷は、ポリマーの主鎖上及び／又はポリマーの側鎖上に位置してもよい。
【０２１１】
好適なカチオン性ポリマーの１つの群には、好適な反応開始剤又は触媒を使用して、エチレン系不飽和モノマーの重合により生成されるものが挙げられる。好適なポリマーは、カチオン性又は両性多糖、ポリエチレンイミン及びその誘導体、並びにＮ，Ｎ−ジアルキルアミノアルキルアクリレート、Ｎ，Ｎ−ジアルキルアミノアルキルメタクリレート、Ｎ，Ｎ−ジアルキルアミノアルキルアクリルアミド、Ｎ，Ｎ−ジアルキルアミノアルキルメタクリルアミド、四級化Ｎ，Ｎジアルキルアミノアルキルアクリレート、四級化Ｎ，Ｎ−ジアルキルアミノアルキルメタクリレート、四級化Ｎ，Ｎ−ジアルキルアミノアルキルアクリルアミド、四級化Ｎ，Ｎ−ジアルキルアミノアルキルメタクリルアミド、メタクリルアミドプロピル−ペンタメチル−１，３−プロピレン−２−オール−アンモニウムジクロライド、Ｎ，Ｎ，Ｎ，Ｎ’，Ｎ’，Ｎ”，Ｎ”−ヘプタメチル−Ｎ”−３−（１−オキソ−２−メチル−２−プロペニル）アミノプロピル−９−オキソ−８−アゾ−デカン−１，４，１０−トリアンモニウムトリクロライド、ビニルアミン及びその誘導体、アリルアミン及びその誘導体、ビニルイミダゾール、四級化ビニルイミダゾール及びジアリルジアルキルアンモニウムクロライド及びこれらの組み合わせからなる群から選択される１つ以上のカチオン性モノマー、及び所望によりアクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、ポリアルキレングリコールアクリレート、Ｃ１〜Ｃ１２アルキルメタクリレート、Ｃ１〜Ｃ１２ヒドロキシアルキルメタクリレート、ポリアルキレングリコールメタクリレート、ビニルアセテート、ビニルアルコール、ビニルホルムアミド、ビニルアセトアミド、ビニルアルキルエーテル、ビニルピリジン、ビニルピロリドン、ビニルイミダゾール、ビニルカプロラクタム、及び誘導体、アクリル酸、メタクリル酸、マレイン酸、ビニルスルホン酸、スチレンスルホン酸、アクリルアミドプロピルメタンスルホン酸（ＡＭＰＳ）及びこれらの塩からなる群から選択される第２のモノマーの重合により作製される合成ポリマーからなる群から選択することができる。ポリマーは所望により、分枝状モノマー及び架橋モノマーを使用することにより、分枝状になり得るか、又は架橋され得る。分枝状モノマー及び架橋モノマーとしては、エチレングリコールジアクリレートジビニルベンゼン、及びブタジエンが挙げられる。本明細書で有用な好適なポリエチレンイニンは、ＢＡＳＦ，ＡＧ（Ｌｕｇｗｉｇｓｃｈａｅｆｅｎ，Ｇｅｒｍａｎｙ）により商品名Ｌｕｐａｓｏｌ（登録商標）として販売されている。
【０２１２】
別の態様では、処理組成物は、両性付着助剤ポリマーが正味の正電荷を有する限り、両性付着助剤ポリマーを含んでもよい。このポリマーは、約０．０５〜約１８ミリ当量／ｇのカチオン電荷密度を有し得る。
【０２１３】
別の態様では、付着助剤は、カチオン性多糖、ポリエチレンイミン及びその誘導体、ポリ（アクリルアミド−コ−ジアリルジメチルアンモニウムクロライド）、ポリ（アクリルアミド−メタクリルアミドプロピルトリメチルアンモニウムクロライド）、ポリ（アクリルアミド−コ−Ｎ，Ｎ−ジメチルアミノエチルアクリレート）及びその四級化誘導体、ポリ（アクリルアミド−コ−Ｎ，Ｎ−ジメチルアミノエチルメタクリレート）及びその四級化誘導体、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチルアンモニウムクロライド）、ポリ（アクリルアミド−コ−ジアリルジメチルアンモニウムクロライド−コ−アクリル酸）、ポリ（アクリルアミド−メタクリルアミドプロピルトリメチルアンモニウムクロライド−コ−アクリル酸）、ポリ（ジアリルジメチルアンモニウムクロライド）、ポリ（ビニルピロリドン−コ−ジメチルアミノエチルメタクリレート）、ポリ（エチルメタクリレート−コ−四級化ジメチルアミノエチルメタクリレート）、ポリ（エチルメタクリレート−コ−オレイルメタクリレート−コ−ジエチルアミノエチルメタクリレート）、ポリ（ジアリルジメチルアンモニウムクロライド−コ−アクリル酸）、ポリ（ビニルピロリドン−コ−四級化ビニルイミダゾール）及びポリ（アクリルアミド−コ−メタクリルアミドプロピル−ペンタメチル−１，３−プロピレン−２−オール−アンモニウムジクロライド）からなる群から選択することができ、好適な付着助剤としては、化粧品成分の国際命名法により命名されたポリクオタニウム−１、ポリクオタニウム−５、ポリクオタニウム−６、ポリクオタニウム−７、ポリクオタニウム−８、ポリクオタニウム−１１、ポリクオタニウム−１４、ポリクオタニウム−２２、ポリクオタニウム−２８、ポリクオタニウム−３０、ポリクオタニウム−３２、及びポリクオタニウム−３３が挙げられる。
【０２１４】
一態様では、付着助剤は、ポリエチレンイミン又はポリエチレンイミン誘導体を含んでもよい。別の態様では、付着助剤は、カチオン性アクリル系ポリマーを含んでもよい。更なる態様では、付着助剤は、カチオン性ポリアクリルアミドを含んでもよい。別の態様では、付着助剤は、ポリアクリルアミド及びポリメタクリルアミドプロピルトリメチルアンモニウムカチオンを含む、ポリマーを含んでもよい。別の態様では、付着助剤は、ポリ（アクリルアミド−Ｎ−ジメチルアミノエチルアクリレート）及びその四級化誘導体を含んでもよい。この態様では、付着助剤は、ＢＴＣ  Ｓｐｅｃｉａｌｔｙ  Ｃｈｅｍｉｃａｌｓ（ａ  ＢＡＳＦ  ｇｒｏｕｐ，Ｆｌｏｒｈａｍ  Ｐａｒｋ，Ｎ．Ｊ．）から入手可能な、商品名Ｓｅｄｉｐｕｒ（登録商標）として販売されているものであってもよい。別の更なる態様では、付着助剤は、ポリ（アクリルアミド−コ−メタクリルアミドプロピルトリメチルアンモニウムクロライド）を含んでもよい。別の態様では、付着助剤は、Ｃｉｂａ  Ｓｐｅｃｉａｌｔｙ  Ｃｈｅｍｉｃａｌｓ（ａ  ＢＡＳＦ  ｇｒｏｕｐ，Ｆｌｏｒｈａｍ  Ｐａｒｋ、Ｎ．Ｊ．）から入手可能な商品名Ｒｈｅｏｖｉｓ（登録商標）ＣＤＥとして販売されているものなどの非アクリルアミド系ポリマーを含んでもよい。
【０２１５】
別の態様では、付着助剤は、カチオン性又は両性多糖からなる群から選択することができる。一態様では、付着助剤を、カチオン性及び両性セルロースエーテル、カチオン性又は両性ガラクトマンナン、カチオン性グアーガム、カチオン性又は両性デンプン、及びこれらの組み合わせからなる群から選択してもよい。
【０２１６】
好適なカチオン性ポリマーの別の群としては、アミン及びオリゴアミンとエピクロロヒドリンとの反応生成物であるアルキルアミン−エピクロロヒドリンポリマーを挙げることができる。例としては、Ｃｌａｒｉａｎｔ（Ｂａｓｌｅ，Ｓｗｉｔｚｅｒｌａｎｄ）から商品名Ｃａｒｔａｆｉｘ（登録商標）ＣＢ及びＣａｒｔａｆｉｘ（登録商標）ＴＳＦとして入手可能な、ジメチルアミン−エピクロロヒドリン−エチレンジアミンが挙げられる。
【０２１７】
好適な合成カチオン性ポリマーの別の群としては、ポリアルキレンポリアミンとポリカルボン酸とのポリアミドアミン−エピクロロヒドリン（ＰＡＥ）樹脂を挙げることができる。最も一般的なＰＡＥ樹脂は、ジエチレントリアミンとアジピン酸との縮合と、後続のエピクロロヒドリンとの反応による生成物である。これらは、商品名Ｋｙｍｅｎｅ（商標）でＨｅｒｃｕｌｅｓ  Ｉｎｃ．（Ｗｉｌｍｉｎｇｔｏｎ，ＤＥ）から、又は商品名Ｌｕｒｅｓｉｎ（商標）でＢＡＳＦ  ＡＧ（Ｌｕｄｗｉｇｓｈａｆｅｎ，Ｇｅｒｍａｎｙ）から入手可能である。
【０２１８】
カチオン性ポリマーは、全体のポリマーが周囲条件下で中性になるように電荷中和アニオンを含み得る。好適な対イオンの非限定的な例としては（使用中に生じるアニオン性種に加えて）、塩化物イオン、臭化物イオン、硫酸イオン、硫酸メチルイオン、スルホネートイオン、メチルスルホネートイオン、炭酸イオン、重炭酸イオン、ギ酸イオン、酢酸イオン、クエン酸イオン、硝酸イオン、及びこれらの混合物が挙げられる。
【０２１９】
ポリマーの重量平均分子量は、ポリエチレンオキシド標準材料に対してＲＩ検出でサイズ排除クロマトグラフィにより測定して、約５００〜約５，０００，０００、又は約１，０００〜約２，０００，０００、又は約２，５００〜約１，５００，０００ダルトンであってもよい。一態様では、カチオン性ポリマーのＭＷは、約５００〜約３７，５００ダルトンであってもよい。
【０２２０】
種々の補助成分
本明細書の洗浄組成物に使用してもよい多種多様な他の成分は、他の活性成分、担体、ヒドロトロープ、加工助剤、染料又は顔料、液体配合物用の溶媒、及び固体又は他の液体充填剤、エリトロシン、コロイド状シリカ、ワックス、プロバイオティクス、サーファクチン、アミノセルロースポリマー、リシノール酸亜鉛、香水マイクロカプセル、ラムノリピッド、ソホロ脂質、グリコペプチド、メチルエステルスルホネート、メチルエステルエトキシレート、スルホン化エストリド、分解性界面活性剤、バイオポリマー、シリコーン、変性シリコーン、アミノシリコーン、付着助剤、ローカストビーンガム、カチオン性ヒドロキシエチルセルロースポリマー、カチオン性グアー、ヒドロトロープ（特にクメンスルホン酸塩、トルエンスルホン酸塩、キシレンスルホン酸塩及びナフタレンスルホン酸塩）、酸化防止剤、ＢＨＴ、ＰＶＡ粒子カプセル化染料又は香料、真珠光沢剤、発泡剤、変色系、シリコーンポリウレタン、乳白剤、錠剤分解剤、バイオマス充填剤、速乾シリコーン、グリコールジステアレート、ヒドロキシエチルセルロースポリマー、疎水変性セルロースポリマー又はヒドロキシエチルセルロースポリマー、デンプン香料カプセル化剤、乳化油、ビスフェノール酸化防止剤、マイクロ繊維セルロース構造化剤、プロ香料、スチレン／アクリレートポリマー、トリアジン、石鹸、スーパーオキシドジスムターゼ、ベンゾフェノンプロテアーゼ阻害剤、官能化ＴｉＯ２、リン酸ジブチル、シリカ香料カプセル、並びに他の補助成分を含む。
【０２２１】
試験方法
試験方法：
オルガノシロキサンポリマーの回復指数を測定する方法。
【０２２２】
回復指数は、Ｉｎｓｔｒｏｎ  Ｍｏｄｅｌ  ５５６５（Ｉｎｓｔｒｏｎ  Ｃｏｒｐ．（Ｎｏｒｗｏｏｄ，Ｍａｓｓａｃｈｕｓｅｔｔｓ，Ｕ．Ｓ．Ａ．））などの引張り及び圧縮試験機を使用して測定される。器具は、以下の設定を選択することにより構成される：モードは、引張り延伸である；波形は、三角形である；最大歪みは１０％、速度は０．８３ｍｍ／秒、サイクル数は４である；保持時間は、サイクル間の１５秒である。
１）綿１００％の織布の約２５．４ｃｍの正方形の見本の重量を測定する（好適な布地は、Ｔｅｓｔｆａｂｒｉｃｓ  Ｉｎｃ．（Ｗｅｓｔ  Ｐｉｔｔｓｔｏｎ，ＰＡ，ＵＳＡ）より入手可能なＭｅｒｃｅｒｉｚｅｄ  Ｃｏｍｂｅｄ  Ｃｏｔｔｏｎ  Ｗａｒｐ  Ｓａｔｅｅｎ（Ｐｒｏｄｕｃｔ  Ｃｏｄｅ  ４７９）である）。
２）布地見本１グラム当たりポリマー５ｍｇを付着させるのに必要なオルガノシロキサンポリマーの量を測定して、蓋付き５０ｍＬプラスチック遠心分離管内への量を測定する。
３）オルガノシロキサンポリマーを完全に溶解するか又は分散させる溶媒（例えば、イソプロピルアルコール、ＴＨＦ、Ｎ，Ｎ−ジメチルアセトアミド、水）で、見本の重量の１．３倍にオルガノシロキサンポリマーを希釈する。
４）必要に応じて振り混ぜるか又はボルテックス撹拌して、シリコーンポリウレタン尿素を完全に分散させるか又は溶解する。
５）布地見本を平らにして、見本より大きいステンレス鋼トレイ内に置く。
６）オルガノシロキサンポリマー溶液を見本全体の上にできるだけ均一に注ぐ。
７）見本を二度折って四分の一にし、次に巻いて、ゆっくり絞り、見本全体に溶液を分散させる。
８）広げて、反対方向に折りたたんで工程７を繰り返す。
９）対照見本を作製するために、１．３倍の溶媒（活性物質無）のみの重量を使用して上述の手順を繰り返す。
１０）アルミホイルの分離片上に各見本を静置して、乾燥させるため、一晩ドラフト内に置く。
１１）適切な換気を備えたオーブン内で９０℃にて５分間、各見本を硬化させる（適切なオーブンは、１５００ｒｐｍファン回転数を備える、Ｍａｔｈｉｓ  Ｌａｂｄｒｙｅｒ（Ｗｅｒｎｅｒ  Ｍａｔｈｉｓ  ＡＧ（Ｏｂｅｒｈａｓｌｉ，Ｓｗｉｔｚｅｒｌａｎｄ））である）。
１２）一定温度（２１℃＋／−２℃）かつ湿度（５０％ＲＨ＋／−５％ＲＨ）の室内で少なくとも６時間、布地を調湿する。
１３）はさみで、各見本の１つの側面全体の端部を縦糸方向に切って、均一な端部になるまで、布地に応力を加えずに、１つずつ慎重に布地糸を取り除く。
１４）均一な端部に平行に、各見本から幅２．５４ｃｍ及び長さ少なくとも１０ｃｍの４本の布地片を切る（型抜き又はロータリ切断）。
１５）布地片の上部及び下部（より幅が狭い端部）を、２．５４ｃｍの間隙設定した引張り試験機上の２．５４ｃｍグリップ内へ、試料に少量の力（０．１Ｎ〜０．２Ｎ）をかけながら、均一に固定する。
１６）０．８３ｍｍ／ｓで１０％まで引張り、同じ速度で２．５４ｃｍの間隙に戻す。
１７）下部クランプを解放し、保持サイクル中、試料に０．１Ｎ〜０．２Ｎの力を負荷しながら、試料を再度固定する。
１８）試料につき４つのヒステリシスサイクルが完了するまで、工程１５〜１６を繰り返す。
１９）上記の方法によって、処理見本当たり４つの布地試料を分析して、サイクル４について０．１Ｎ無負荷で記録される引張り歪み値を平均する。回復率は下記のとおり計算される：
【０２２３】
【数１】
0006453361.tif 000028
２０）
【０２２４】
【数２】
0006453361.tif 000029
【実施例】
【０２２５】
以下の非限定例は例示的なものである。特に指定のない限り、百分率は重量によるものである。特定の態様が例示され記載される一方、本発明の趣旨及び範囲から外れることなく他の変更及び修正をなすことができる。したがって本発明の範囲に含まれるすべてのこうした変更及び改変を付属の特許請求の範囲において網羅するものである。
【０２２６】
架橋可能なオルガノシロキサンポリマーの調製
（実施例１）
７．０９０ｍｍｏｌのビス（４−イソシアナトシクロヘキシル）メタン（ＨＭＤＩ）を、反応容器内で１．２ｇのＩＰＡ中に溶解させる。１．７５４ｍｍｏｌのα，ω−ジアミノプロピルポリジメチルシロキサン（ＭＷ＝１１４００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．１０４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの３−アミノプロピルジメチルエトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２２７】
（実施例２）
７．９６４ｍｍｏｌのビス（４−イソシアナトシクロヘキシル）メタン（ＨＭＤＩ）を、反応容器内で１．２ｇのＩＰＡ中に溶解させる。２．０００ｍｍｏｌのα，ω−ジアミノプロピルポリジメチルシロキサン（ＭＷ＝５０００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．８６４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．２００ｍｍｏｌの３−アミノプロピルジメチルエトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２２８】
（実施例３）
１．７９２ｍｍｏｌのビス（４−イソシアナトシクロヘキシル）メタン（ＨＭＤＩ）を、反応容器内で１．２ｇのＩＰＡ中に溶解させる。０．４００ｍｍｏｌのα，ω−ジアミノプロピルポリジメチルシロキサン（ＭＷ＝５００００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、１．２２１ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの３−アミノプロピルジメチルエトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２２９】
（実施例４）
７．０９０ｍｍｏｌのビス（４−イソシアナトシクロヘキシル）メタン（ＨＭＤＩ）を、反応容器内で１．２ｇのＩＰＡ中に溶解させる。１．７５４ｍｍｏｌのα，ω−ジアミノプロピルポリジメチルシロキサン（ＭＷ＝１１４００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．１０４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの［３−（２−アミノエチルアミノ）プロピル］トリメトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２３０】
（実施例５）
７．９６４ｍｍｏｌのビス（４−イソシアナトシクロヘキシル）メタン（ＨＭＤＩ）を、反応容器内で１．２ｇのＩＰＡ中に溶解させる。２．０００ｍｍｏｌのα，ω−ジアミノプロピルポリジメチルシロキサン（ＭＷ＝５０００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．８６４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．２００ｍｍｏｌの［３−（２−アミノエチルアミノ）プロピル］トリメトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２３１】
（実施例６）
１．７９２ｍｍｏｌのビス（４−イソシアナトシクロヘキシル）メタン（ＨＭＤＩ）を、反応容器内で１．２ｇのＩＰＡ中に溶解させる。０．４００ｍｍｏｌのα，ω−ジアミノプロピルポリジメチルシロキサン（ＭＷ＝５００００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、１．２２１ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの［３−（２−アミノエチルアミノ）プロピル］トリメトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。
【０２３２】
（実施例７）
７．０９０ｍｍｏｌのビス（４−イソシアナトシクロヘキシル）メタン（ＨＭＤＩ）を、反応容器内で１．２ｇのＩＰＡ中に溶解させる。１．７５４ｍｍｏｌのα，ω−ジアミノプロピルポリジメチルシロキサン（ＭＷ＝１１４００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．１０４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの３−アミノプロピルジメチルエトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。６．４００ｍｍｏｌの（ジエチルアミノ）メチルトリエトキシシランを添加して、調製を完了する。
【０２３３】
（実施例８）
７．０９０ｍｍｏｌのビス（４−イソシアナトシクロヘキシル）メタン（ＨＭＤＩ）を、反応容器内で１．２ｇのＩＰＡ中に溶解させる。１．７５４ｍｍｏｌのα，ω−ジアミノプロピルポリジメチルシロキサン（ＭＷ＝１１４００ｇ／ｍｏｌ）（アミノシリコーン）を別個のフラスコ内で４．８ｇのＩＰＡ中に溶解させ、添加漏斗に注ぎ込む。室温下で強力に撹拌しながら、ＨＭＤＩ溶液にＰＤＭＳオリゴマー溶液を滴状添加する。次に、５．１０４ｍｍｏｌの１，３−ジアミノ−２−ヒドロキシプロパン（鎖延長剤）を１．２ｇのＩＰＡ中に溶解させ、添加漏斗に注ぎ込み、室温下で強力に撹拌しながら反応容器内のプレポリマー溶液に滴状添加する。次いで０．４００ｍｍｏｌの３−アミノプロピルジメチルエトキシシランを０．７ｇのＩＰＡ中に溶解させ、添加漏斗に注ぎ込み、室温下で強力に撹拌しながら反応容器内のプレポリマー溶液に滴状添加して、反応を完了させる。標的構造を生成するため、反応の進行及び完了は、２２６５ｃｍ−１でのイソシアネートの強い吸収ピークの消失をモニタリングするＦＴＩＲ分光法で追跡する。６．４００ｍｍｏｌのメチルトリエトキシシランを添加して、調製を完了する。
【０２３４】
表ＩＩ．実施例９〜１７：例示のすすぎ時添加型布地ケア組成物
９つの異なるすすぎ時添加型布地ケア組成物を、下で示す成分を混合することによって、以下のように作製する：
【０２３５】
【表１】
0006453361.tif 000030
８つの異なるポリマーに加えてこれらの混合物の、９つの異なる組成物が作製される。
【０２３６】
表ＩＩＩ．実施例１８〜２６：例示のすすぎ時添加型布地ケア組成物
９つの異なるすすぎ時添加型布地ケア組成物を、下で示す成分を混合することによって、以下のように作製する：
【０２３７】
【表２】
0006453361.tif 000031
８つの異なるポリマーに加えてこれらの混合物の、９つの異なる組成物が作製される。
【０２３８】
表ＩＶ．実施例２７〜３６：例示の液体洗剤型布地ケア組成物：９つの異なる液体洗剤型布地ケア組成物は、列挙された成分を記載の割合で共に混合することにより調製され得る。
【０２３９】
【表３】
0006453361.tif 000032
８つの異なるポリマーに加えてこれらの混合物の、９つの異なる組成物が作製される。
【０２４０】
表ＩＶ．実施例３７〜４６：例示の液体洗剤型布地ケア組成物：９つの異なる液体洗剤型布地ケア組成物は、列挙された成分を記載の割合で共に混合することにより調製され得る。
【０２４１】
【表４】
0006453361.tif 000033
８つの異なるポリマーに加えてこれらの混合物の、９つの異なる組成物が作製される。
１  Ｄｅｇｕｓｓａ  Ｃｏｒｐｏｒａｔｉｏｎ（Ｈｏｐｅｗｅｌｌ，ＶＡ）から入手可能。
２  Ｓｉｇｍａ  Ａｌｄｒｉｃｈ（Ｍｉｌｗａｕｋｅｅ，ＷＩ）から入手可能。
３  Ｎａｌｃｏ  Ｃｈｅｍｉｃａｌｓ（Ｎａｐｅｒｖｉｌｌｅ，ＩＬ）から入手可能。
４  Ｓｈｅｌｌ  Ｃｈｅｍｉｃａｌｓ（Ｈｏｕｓｔｏｎ，ＴＸ）から入手可能。
５  Ｄｅｇｕｓｓａ  Ｃｏｒｐｏｒａｔｉｏｎ（Ｈｏｐｅｗｅｌｌ，ＶＡ）から入手可能。
６  Ｓｈｅｌｌ  Ｃｈｅｍｉｃａｌｓ（Ｈｏｕｓｔｏｎ，ＴＸ）から入手可能。
７  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
８  Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
９  Ｐｒｏｃｔｅｒ  ＆  Ｇａｍｂｌｅから入手可能。
１０  Ｈｕｎｔｓｍａｎ  Ｃｈｅｍｉｃａｌｓ（Ｓａｌｔ  Ｌａｋｅ  Ｃｉｔｙ，ＵＴ）から入手可能。
１１  商品名ＬＵＴＥＮＳＩＴ（登録商標）で販売されＢＡＳＦ（Ｌｕｄｗｉｇｓｈａｆｅｎ，Ｇｅｒｍａｎｙ）から入手可能、及び国際公開第０１／０５８７４号に記載のキレート剤。
１２  Ｄｏｗ  Ｃｈｅｍｉｃａｌｓ（Ｅｄｇｅｗａｔｅｒ，ＮＪ）から入手可能。
１３  Ｓｔｅｐａｎ  Ｃｈｅｍｉｃａｌｓ（Ｎｏｒｔｈｆｉｅｌｄ，ＩＬ）から入手可能。
【０２４２】
本明細書に開示される寸法及び値は、列挙された正確な数値に厳しく制限されるものとして理解されるべきでない。それよりむしろ、特に指定されない限り、こうした各寸法は、列挙された値とその値周辺の機能的に同等の範囲の両方を意味することを意図する。例えば、「４０ｍｍ」として開示される寸法は、「約４０ｍｍ」を意味するものとする。
【０２４３】
あらゆる相互参照又は関連特許若しくは特許出願を含む、本明細書に引用されるすべての文献は、明白に除外されるか又は別の方法で限定されない限り、本明細書中に参照によりすべてが組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更には、本明細書における用語のいずれかの意味又は定義が、参考文献における同一の用語のいずれかの意味又は定義と相反する限りにおいて、本明細書でその用語に与えられた意味又は定義を優先するものとする。
【０２４４】
本発明の特定の実施形態を例示及び説明してきたが、本発明の趣旨及び範囲から逸脱せずに、他の様々な変更及び修正を行うことができることは当業者には明白であろう。したがって本発明の範囲に含まれるすべてのこうした変更及び改変を付属の特許請求の範囲において網羅するものである。